(57)【要約】  本願は、リソース選択方法及び端末デバイスを提供する。  方法は、第１の端末デバイスによって第１のリソースを決定する段階であって、第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む、段階と、第１のリソース及び第２のリソースが重複する場合に、第１の端末デバイスによって第２のリソースを利用することをスキップする、又は第１の端末デバイスによってリソースを再選択する段階であって、第２のリソースは、第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、及び第１の端末デバイスによってデータを伝送するために利用されるべき候補リソースに基づいて決定されるリソースの１つ又は複数を含む、段階とを含む。このように、リソースプールにおけるリソースが共有リソースである場合に端末デバイス間でリソース競合が生じるという問題が解決される。
2021513290.tif 000002
【特許請求の範囲】
【請求項１】
リソース選択方法であって、
第１の端末デバイスによって第１のリソースを決定する段階であって、前記第１のリソースは、第２の端末デバイスによってデータを伝送するために利用されるリソース、前記第２の端末デバイスによってデータを伝送するために予約されるリソース、前記第２の端末デバイスによってデータを伝送するために利用される前記リソースに基づいて決定されるリソース、及び前記第２の端末デバイスによってデータを伝送するために予約される前記リソースに基づいて決定されるリソースの１つ又は複数を含む、段階と、
前記第１のリソース及び第２のリソースが重複する場合に、前記第１の端末デバイスによって前記第２のリソースを利用することをスキップする、又は前記第１の端末デバイスによってリソースを再選択する段階であって、前記第２のリソースは、前記第１の端末デバイスによってデータを伝送するために選択されるリソース、前記第１の端末デバイスによってデータを伝送するために利用されるべき候補リソース、前記第１の端末デバイスによってデータを伝送するために選択される前記リソースに基づいて決定されるリソース、及び前記第１の端末デバイスによってデータを伝送するために利用されるべき前記候補リソースに基づいて決定されるリソースの１つ又は複数を含む、段階と
を備える方法。
【請求項２】
第１の端末デバイスによって第１のリソースを決定する前記段階は、
前記第１の端末デバイスによって、前記第２の端末デバイスによって送信された第１の情報を受信する段階であって、前記第１の情報は、前記第２の端末デバイスによってデータを伝送するために利用される前記リソースを示すために利用される、段階と、
前記第１の端末デバイスによって、前記第２の端末デバイスによってデータを伝送するために利用される前記リソースに基づいて、前記第１のリソースを決定する段階と
を含む、請求項１に記載の方法。
【請求項３】
第１の端末デバイスによって第１のリソースを決定する前記段階は、
前記第１の端末デバイスによって、第２の情報及び前記第２の端末デバイスによってデータを伝送するために利用される前記リソースに基づいて前記第１のリソースを決定する段階
を含み、
前記第２の情報は、予約間隔を示すために利用される、又は前記第２の情報は、前記第１の端末デバイス又は前記第２の端末デバイスが利用可能なリソース予約期間のセットを示すために利用される、又は前記第２の情報は、第１のパラメータの値範囲を示すために利用され、前記第１のパラメータは、前記第１の端末デバイス又は前記第２の端末デバイスが利用可能なリソース予約期間のセットを示すために利用される、
請求項１又は２に記載の方法。
【請求項４】
前記第１のリソース及び第２のリソースが重複する場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する段階であって、前記予め設定された条件は、前記第１の端末デバイスが前記第２の端末デバイスによって送信された信号を受信するときの受信電力、前記第１の端末デバイスの伝送データの優先度及び／又は前記第２の端末デバイスの伝送データの優先度、前記第１の端末デバイスの伝送データのタイプ及び／又は前記第２の端末デバイスの伝送データのタイプ、前記第１の端末デバイスがデータを伝送する回数及び／又は前記第２の端末デバイスがデータを伝送する回数、及び第２のリソースの数の１つ又は複数を含む、段階を含む、
請求項１から３のいずれか１項に記載の方法。
【請求項５】
前記予め設定された条件は、前記第１の端末デバイスが前記第２の端末デバイスによって送信された前記信号を受信するときの前記受信電力を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスが前記第２の端末デバイスによって送信された前記信号を受信するときの前記受信電力が第１の閾値より大きい場合に、前記第１の端末デバイスによって前記第２のリソースを利用することをスキップする、又は前記第１の端末デバイスによってリソースを再選択する段階
を含む
請求項４に記載の方法。
【請求項６】
前記予め設定された条件は、前記第１の端末デバイスの前記伝送データの前記優先度及び／又は前記第２の端末デバイスの前記伝送データの前記優先度を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスの前記伝送データの前記優先度が第２の閾値より小さい又はこれと等しい場合に、前記第１の端末デバイスによって前記第２のリソースを利用することをスキップする段階、又は、
前記第１のリソース及び前記第２のリソースが重複し、かつ、前記第２の端末デバイスの前記伝送データの前記優先度が第３の閾値より大きい又はこれと等しい場合に、前記第１の端末デバイスによって前記第２のリソースを利用することをスキップする段階、又は、
前記第１のリソース及び前記第２のリソースが重複し、前記第１の端末デバイスの前記伝送データの前記優先度が第２の閾値より小さい又はこれと等しく、かつ、前記第２の端末デバイスの前記伝送データの前記優先度が第３の閾値より大きい又はこれと等しい場合に、前記第１の端末デバイスによって前記第２のリソースを利用することをスキップする段階、又は、
前記第１のリソース及び前記第２のリソースが重複し、かつ、前記第１の端末デバイスの前記伝送データの前記優先度が第４の閾値より大きい場合に、前記第１の端末デバイスによってリソースを再選択する段階、又は、
前記第１のリソース及び前記第２のリソースが重複し、かつ、前記第２の端末デバイスの前記伝送データの前記優先度が第５の閾値より大きい又はこれと等しい場合に、前記第１の端末デバイスによってリソースを再選択する段階、又は、
前記第１のリソース及び前記第２のリソースが重複し、前記第１の端末デバイスの前記伝送データの前記優先度が第４の閾値より大きく、かつ、前記第２の端末デバイスの前記伝送データの前記優先度が第５の閾値より大きい又はこれと等しい場合に、前記第１の端末デバイスによってリソースを再選択する段階
を含む、請求項４に記載の方法。
【請求項７】
前記予め設定された条件は、前記第１の端末デバイスの前記伝送データの前記優先度及び前記第２の端末デバイスの前記伝送データの前記優先度を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスの前記伝送データの前記優先度と前記第２の端末デバイスの前記伝送データの前記優先度との間の差が第６の閾値より小さい又はこれと等しい場合に、前記第１の端末デバイスによって前記第２のリソースを利用することをスキップする、又は前記第１の端末デバイスによってリソースを再選択する段階
を含む、請求項４に記載の方法。
【請求項８】
前記予め設定された条件は、前記第１の端末デバイスの前記伝送データの前記タイプ及び／又は前記第２の端末デバイスの前記伝送データの前記タイプを含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスの前記伝送データが非セキュリティ関連データである場合に、前記第１の端末デバイスによって前記第２のリソースを利用することをスキップする段階、又は、
前記第１のリソース及び前記第２のリソースが重複し、かつ、前記第２の端末デバイスの前記伝送データがセキュリティ関連データである場合に、前記第１の端末デバイスによって前記第２のリソースを利用することをスキップする段階、又は、
前記第１のリソース及び前記第２のリソースが重複し、前記第１の端末デバイスの前記伝送データが非セキュリティ関連データであり、かつ、前記第２の端末デバイスの前記伝送データがセキュリティ関連データである場合に、前記第１の端末デバイスによって前記第２のリソースを利用することをスキップする段階、又は、
前記第１のリソース及び前記第２のリソースが重複し、かつ、前記第１の端末デバイスの前記伝送データがセキュリティ関連データである場合に、前記第１の端末デバイスによってリソースを再選択する段階、又は、
前記第１のリソース及び前記第２のリソースが重複し、かつ、前記第２の端末デバイスの前記伝送データがセキュリティ関連データである場合に、前記第１の端末デバイスによってリソースを再選択する段階、又は、
前記第１のリソース及び前記第２のリソースが重複し、前記第１の端末デバイスの前記伝送データがセキュリティ関連データであり、かつ、前記第２の端末デバイスの前記伝送データがセキュリティ関連データである場合に、前記第１の端末デバイスによってリソースを再選択する段階
を含む、請求項４に記載の方法。
【請求項９】
前記予め設定された条件は、前記第１の端末デバイスが前記データを伝送する前記回数及び／又は前記第２の端末デバイスが前記データを伝送する前記回数を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスの前記伝送データが再伝送データである場合に、前記第１の端末デバイスによって前記第２のリソースを利用することをスキップする段階、又は、
前記第１のリソース及び前記第２のリソースが重複し、かつ、前記第２の端末デバイスの前記伝送データが初期伝送データである場合に、前記第１の端末デバイスによって前記第２のリソースを利用することをスキップする段階、又は、
前記第１のリソース及び前記第２のリソースが重複し、前記第１の端末デバイスの前記伝送データが再伝送データであり、かつ、前記第２の端末デバイスの前記伝送データが初期伝送データである場合に、前記第１の端末デバイスによって前記第２のリソースを利用することをスキップする段階、又は、
前記第１のリソース及び前記第２のリソースが重複し、かつ、前記第１の端末デバイスの前記伝送データが初期伝送データである場合に、前記第１の端末デバイスによってリソースを再選択する段階、又は、
前記第１のリソース及び前記第２のリソースが重複し、かつ、前記第２の端末デバイスの前記伝送データが初期伝送データである場合に、前記第１の端末デバイスによってリソースを再選択する段階、又は、
前記第１のリソース及び前記第２のリソースが重複し、前記第１の端末デバイスの前記伝送データが初期伝送データであり、かつ、前記第２の端末デバイスの前記伝送データが初期伝送データである場合に、前記第１の端末デバイスによってリソースを再選択する段階
を含む、請求項４に記載の方法。
【請求項１０】
前記予め設定された条件は、第２のリソースの前記数を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、第２のリソースの前記数が第７の閾値より小さい又はこれと等しい場合に、前記第１の端末デバイスによって前記第２のリソースを利用することをスキップする段階、又は、
前記第１のリソース及び前記第２のリソースが重複し、かつ、前記第２のリソースが位置するサブフレームの数が第８の閾値より小さい又はこれと等しい場合に、前記第１の端末デバイスによって前記第２のリソースを利用することをスキップする段階、又は、
前記第１のリソース及び前記第２のリソースが重複し、かつ、第２のリソースの前記数が第９の閾値より大きい場合に、前記第１の端末デバイスによってリソースを再選択する段階、又は、
前記第１のリソース及び前記第２のリソースが重複し、かつ、前記第２のリソースが位置するサブフレームの数が第１０の閾値より大きい場合に、前記第１の端末デバイスによってリソースを再選択する段階
を含む、請求項４に記載の方法。
【請求項１１】
前記第１のリソース及び第２のリソースが重複する場合に、前記第１の端末デバイスによって前記第２のリソースを利用することをスキップする、又は前記第１の端末デバイスによってリソースを再選択する段階の前に、
前記第１の端末デバイスによって、前記第２の端末デバイスのリソース割り当てモードが、
基地局がリソースをスケジューリングするモード、
部分的センシングに基づいてリソースを選択するモード、
センシングに基づいてリソースを選択するモード、及び
ランダム選択に基づいてリソースを選択するモード
のいずれか１つであると決定する段階をさらに備える、請求項１から１０のいずれか１項に記載の方法。
【請求項１２】
前記第１の端末デバイスのリソース割り当てモードは、
リソースを自律的に選択するモード、
非部分的センシングに基づいてリソースを選択するモード、及び
センシングに基づいてリソースを選択又は再選択するモード
のいずれか１つである、請求項１から１１のいずれか１項に記載の方法。
【請求項１３】
端末デバイスであって、
第１のリソースを決定するように構成される決定ユニットであって、前記第１のリソースは、第２の端末デバイスによってデータを伝送するために利用されるリソース、前記第２の端末デバイスによってデータを伝送するために予約されるリソース、前記第２の端末デバイスによってデータを伝送するために利用される前記リソースに基づいて決定されるリソース、及び前記第２の端末デバイスによってデータを伝送するために予約される前記リソースに基づいて決定されるリソースの１つ又は複数を含む、決定ユニットと、
前記第１のリソース及び第２のリソースが重複する場合に、前記第２のリソースを利用することをスキップする、又はリソースを再選択するように構成される処理ユニットであって、前記第２のリソースは、前記端末デバイスによってデータを伝送するために選択されるリソース、前記端末デバイスによってデータを伝送するために利用されるべき候補リソース、前記端末デバイスによってデータを伝送するために選択される前記リソースに基づいて決定されるリソース、及び前記端末デバイスによってデータを伝送するために利用されるべき前記候補リソースに基づいて決定されるリソースの１つ又は複数を含む、処理ユニットと
を備えるデバイス。
【請求項１４】
前記決定ユニットは、受信サブユニット及び決定サブユニットを含み、
前記受信サブユニットは、前記第２の端末デバイスによって送信された第１の情報を受信するように構成され、前記第１の情報は、前記第２の端末デバイスによってデータを伝送するために利用される前記リソースを示すために利用され、
前記決定サブユニットは、前記第２の端末デバイスによってデータを伝送するために利用される前記リソースに基づいて、前記第１のリソースを決定するように構成される、
請求項１３に記載のデバイス。
【請求項１５】
前記決定ユニットは、第２の情報及び前記第２の端末デバイスによってデータを伝送するために利用される前記リソースに基づいて、前記第１のリソースを決定するように具体的に構成され、
前記第２の情報は、予約間隔を示すために利用される、又は前記第２の情報は、前記端末デバイス又は前記第２の端末デバイスが利用可能なリソース予約期間のセットを示すために利用される、又は前記第２の情報は、第１のパラメータの値範囲を示すために利用され、前記第１のパラメータは、前記端末デバイス又は前記第２の端末デバイスが利用可能なリソース予約期間のセットを示すために利用される、
請求項１３又は１４に記載のデバイス。
【請求項１６】
前記処理ユニットは、前記第１のリソース及び前記第２のリソースが重複し、かつ、予め設定された条件が満たされる場合に、前記第２のリソースを利用することをスキップする、又はリソースを再選択するように具体的に構成され、前記予め設定された条件は、
前記端末デバイスが前記第２の端末デバイスによって送信された信号を受信するときの受信電力、前記端末デバイスの伝送データの優先度及び／又は前記第２の端末デバイスの伝送データの優先度、前記端末デバイスの伝送データのタイプ及び／又は前記第２の端末デバイスの伝送データのタイプ、前記端末デバイスがデータを伝送する回数及び／又は前記第２の端末デバイスがデータを伝送する回数、及び第２のリソースの数
の１つ又は複数を含む、
請求項１３から１５のいずれか１項に記載のデバイス。
【請求項１７】
前記予め設定された条件は、前記端末デバイスが前記第２の端末デバイスによって送信された前記信号を受信するときの前記受信電力を含み、
前記処理ユニットは、前記第１のリソース及び前記第２のリソースが重複し、かつ、前記端末デバイスが前記第２の端末デバイスによって送信された前記信号を受信するときの前記受信電力が第１の閾値より大きい場合に、前記第２のリソースを利用することをスキップする、又はリソースを再選択するように具体的に構成される、
請求項１６に記載のデバイス。
【請求項１８】
前記予め設定された条件は、前記端末デバイスの前記伝送データの前記優先度及び／又は前記第２の端末デバイスの前記伝送データの前記優先度を含み、
前記処理ユニットは、
前記第１のリソース及び前記第２のリソースが重複し、かつ、前記端末デバイスの前記伝送データの前記優先度が第２の閾値より小さい又はこれと等しい場合に、前記第２のリソースを利用することをスキップする、又は、
前記第１のリソース及び前記第２のリソースが重複し、かつ、前記第２の端末デバイスの前記伝送データの前記優先度が第３の閾値より大きい又はこれと等しい場合に、前記第２のリソースを利用することをスキップする、又は、
前記第１のリソース及び前記第２のリソースが重複し、前記端末デバイスの前記伝送データの前記優先度が第２の閾値より小さい又はこれと等しく、かつ、前記第２の端末デバイスの前記伝送データの前記優先度が第３の閾値より大きい又はこれと等しい場合に、前記第２のリソースを利用することをスキップする、又は、
前記第１のリソース及び前記第２のリソースが重複し、かつ、前記端末デバイスの前記伝送データの前記優先度が第４の閾値より大きい場合に、リソースを再選択する、又は、
前記第１のリソース及び前記第２のリソースが重複し、かつ、前記第２の端末デバイスの前記伝送データの前記優先度が第５の閾値より大きい又はこれと等しい場合に、リソースを再選択する、又は、
前記第１のリソース及び前記第２のリソースが重複し、前記端末デバイスの前記伝送データの前記優先度が第４の閾値より大きく、かつ、前記第２の端末デバイスの前記伝送データの前記優先度が第５の閾値より大きい又はこれと等しい場合に、リソースを再選択する
ように具体的に構成される、請求項１６に記載のデバイス。
【請求項１９】
前記予め設定された条件は、前記端末デバイスの前記伝送データの前記優先度及び前記第２の端末デバイスの前記伝送データの前記優先度を含み、
前記処理ユニットは、前記第１のリソース及び前記第２のリソースが重複し、かつ、前記端末デバイスの前記伝送データの前記優先度と前記第２の端末デバイスの前記伝送データの前記優先度との間の差が第６の閾値より小さい又はこれと等しい場合に、前記第２のリソースを利用することをスキップする、又はリソースを再選択するように具体的に構成される、
請求項１６に記載のデバイス。
【請求項２０】
前記予め設定された条件は、前記端末デバイスの前記伝送データの前記タイプ及び／又は前記第２の端末デバイスの前記伝送データの前記タイプを含み、
前記処理ユニットは、
前記第１のリソース及び前記第２のリソースが重複し、かつ、前記端末デバイスの前記伝送データが非セキュリティ関連データである場合に、前記第２のリソースを利用することをスキップする、又は、
前記第１のリソース及び前記第２のリソースが重複し、かつ、前記第２の端末デバイスの前記伝送データがセキュリティ関連データである場合に、前記第２のリソースを利用することをスキップする、又は、
前記第１のリソース及び前記第２のリソースが重複し、前記端末デバイスの前記伝送データが非セキュリティ関連データであり、かつ、前記第２の端末デバイスの前記伝送データがセキュリティ関連データである場合に、前記第２のリソースを利用することをスキップする、又は、
前記第１のリソース及び前記第２のリソースが重複し、かつ、前記端末デバイスの前記伝送データがセキュリティ関連データである場合に、リソースを再選択する、又は、
前記第１のリソース及び前記第２のリソースが重複し、かつ、前記第２の端末デバイスの前記伝送データがセキュリティ関連データである場合に、リソースを再選択する、又は、
前記第１のリソース及び前記第２のリソースが重複し、前記端末デバイスの前記伝送データがセキュリティ関連データであり、かつ、前記第２の端末デバイスの前記伝送データがセキュリティ関連データである場合に、リソースを再選択する
ように具体的に構成される、請求項１６に記載のデバイス。
【請求項２１】
前記予め設定された条件は、前記端末デバイスが前記データを伝送する前記回数及び／又は前記第２の端末デバイスが前記データを伝送する前記回数を含み、
前記処理ユニットは、
前記第１のリソース及び前記第２のリソースが重複し、かつ、前記端末デバイスの前記伝送データが再伝送データである場合に、前記第２のリソースを利用することをスキップする、又は、
前記第１のリソース及び前記第２のリソースが重複し、かつ、前記第２の端末デバイスの前記伝送データが初期伝送データである場合に、前記第２のリソースを利用することをスキップする、又は、
前記第１のリソース及び前記第２のリソースが重複し、前記端末デバイスの前記伝送データが再伝送データであり、かつ、前記第２の端末デバイスの前記伝送データが初期伝送データである場合に、前記第２のリソースを利用することをスキップする、又は、
前記第１のリソース及び前記第２のリソースが重複し、かつ、前記端末デバイスの前記伝送データが初期伝送データである場合に、リソースを再選択する、又は、
前記第１のリソース及び前記第２のリソースが重複し、かつ、前記第２の端末デバイスの前記伝送データが初期伝送データである場合に、リソースを再選択する、又は、
前記第１のリソース及び前記第２のリソースが重複し、前記端末デバイスの前記伝送データが初期伝送データであり、かつ、前記第２の端末デバイスの前記伝送データが初期伝送データである場合に、リソースを再選択する
ように具体的に構成される、請求項１６に記載のデバイス。
【請求項２２】
前記予め設定された条件は、第２のリソースの前記数を含み、
前記処理ユニットは、
前記第１のリソース及び前記第２のリソースが重複し、かつ、第２のリソースの前記数が第７の閾値より小さい又はこれと等しい場合に、前記第２のリソースを利用することをスキップする、又は、
前記第１のリソース及び前記第２のリソースが重複し、かつ、前記第２のリソースが位置するサブフレームの数が第８の閾値より小さい又はこれと等しい場合に、前記第２のリソースを利用することをスキップする、又は、
前記第１のリソース及び前記第２のリソースが重複し、かつ、第２のリソースの前記数が第９の閾値より大きい場合に、リソースを再選択する、又は、
前記第１のリソース及び前記第２のリソースが重複し、かつ、前記第２のリソースが位置するサブフレームの数が第１０の閾値より大きい場合に、リソースを再選択する
ように具体的に構成される、請求項１６に記載のデバイス。
【請求項２３】
前記決定ユニットは、前記第２の端末デバイスのリソース割り当てモードが、
基地局がリソースをスケジューリングするモード、
部分的センシングに基づいてリソースを選択するモード、
センシングに基づいてリソースを選択するモード、及び
ランダム選択に基づいてリソースを選択するモード
のいずれか１つであると決定するようにさらに構成される、請求項１３から２２のいずれか１項に記載のデバイス。
【請求項２４】
前記端末デバイスのリソース割り当てモードは、
リソースを自律的に選択するモード、
非部分的センシングに基づいてリソースを選択するモード、及び
センシングに基づいてリソースを選択又は再選択するモード
のいずれか１つである、請求項１３から２３のいずれか１項に記載のデバイス。
【請求項２５】
プロセッサ及びメモリを備える端末デバイスであって、前記プロセッサ及び前記メモリは、通信バスを介して接続され、
前記メモリは、プログラム命令を格納するように構成され、
前記プロセッサは、前記メモリに格納された前記プログラム命令を呼び出して実行し、
第１のリソースを決定する段階であって、前記第１のリソースは、第２の端末デバイスによってデータを伝送するために利用されるリソース、前記第２の端末デバイスによってデータを伝送するために予約されるリソース、前記第２の端末デバイスによってデータを伝送するために利用される前記リソースに基づいて決定されるリソース、及び前記第２の端末デバイスによってデータを伝送するために予約される前記リソースに基づいて決定されるリソースの１つ又は複数を含む、段階と、
前記第１のリソース及び第２のリソースが重複する場合に、前記第２のリソースを利用することをスキップする、又はリソースを再選択する段階であって、前記第２のリソースは、前記端末デバイスによってデータを伝送するために選択されるリソース、前記端末デバイスによってデータを伝送するために利用されるべき候補リソース、前記端末デバイスによってデータを伝送するために選択される前記リソースに基づいて決定されるリソース、及び前記端末デバイスによってデータを伝送するために利用されるべき前記候補リソースに基づいて決定されるリソースの１つ又は複数を含む、段階と
を実行するように構成される、デバイス。
【請求項２６】
送受信機をさらにを備え、
前記送受信機は、前記第２の端末デバイスによって送信された第１の情報を受信するように構成され、前記第１の情報は、前記第２の端末デバイスによってデータを伝送するために利用される前記リソースを示すために利用され、
第１のリソースを決定する前記段階において、前記プロセッサは、前記メモリに格納された前記プログラム命令を呼び出して実行し、前記第２の端末デバイスによってデータを伝送するために利用される前記リソースに基づいて、前記第１のリソースを決定するように具体的に構成される、
請求項２５に記載のデバイス。
【請求項２７】
第１のリソースを決定する前記段階において、前記プロセッサは、前記メモリに格納された前記プログラム命令を呼び出して実行し、第２の情報及び前記第２の端末デバイスによってデータを伝送するために利用される前記リソースに基づいて、前記第１のリソースを決定するように具体的に構成され、
前記第２の情報は、予約間隔を示すために利用される、又は前記第２の情報は、前記端末デバイス又は前記第２の端末デバイスが利用可能なリソース予約期間のセットを示すために利用される、又は前記第２の情報は、第１のパラメータの値範囲を示すために利用され、前記第１のパラメータは、前記端末デバイス又は前記第２の端末デバイスが利用可能なリソース予約期間のセットを示すために利用される、
請求項２５又は２６に記載のデバイス。
【請求項２８】
前記第１のリソース及び第２のリソースが重複する場合に、前記第２のリソースを利用することをスキップする、又はリソースを再選択する前記段階において、前記プロセッサは、前記メモリに格納された前記プログラム命令を呼び出して実行し、前記第１のリソース及び前記第２のリソースが重複し、かつ、予め設定された条件が満たされる場合に、前記第２のリソースを利用することをスキップする、又はリソースを再選択するように具体的に構成され、
前記予め設定された条件は、
前記端末デバイスが前記第２の端末デバイスによって送信された信号を受信するときの受信電力、前記端末デバイスの伝送データの優先度及び／又は前記第２の端末デバイスの伝送データの優先度、前記端末デバイスの伝送データのタイプ及び／又は前記第２の端末デバイスの伝送データのタイプ、前記端末デバイスがデータを伝送する回数及び／又は前記第２の端末デバイスがデータを伝送する回数、及び第２のリソースの数
の１つ又は複数を含む、請求項２５から２７のいずれか１項に記載のデバイス。
【請求項２９】
前記予め設定された条件は、前記端末デバイスが前記第２の端末デバイスによって送信された前記信号を受信するときの前記受信電力を含み、
前記第１のリソース及び第２のリソースが重複する場合に、前記第２のリソースを利用することをスキップする、又はリソースを再選択する前記段階において、前記プロセッサは、前記第１のリソース及び前記第２のリソースが重複し、かつ、前記端末デバイスが前記第２の端末デバイスによって送信された前記信号を受信するときの前記受信電力が第１の閾値より大きい場合に、前記メモリに格納された前記プログラム命令を呼び出して実行し、前記第２のリソースを利用することをスキップする、又はリソースを再選択するように具体的に構成される、
請求項２８に記載のデバイス。
【請求項３０】
前記予め設定された条件は、前記端末デバイスの前記伝送データの前記優先度及び／又は前記第２の端末デバイスの前記伝送データの前記優先度を含み、
前記第１のリソース及び第２のリソースが重複する場合に、前記第２のリソースを利用することをスキップする、又はリソースを再選択する前記段階において、前記プロセッサは、前記メモリに格納された前記プログラム命令を呼び出して実行し、
前記第１のリソース及び前記第２のリソースが重複し、かつ、前記端末デバイスの前記伝送データの前記優先度が第２の閾値より小さい又はこれと等しい場合に、前記第２のリソースを利用することをスキップする段階、又は、
前記第１のリソース及び前記第２のリソースが重複し、かつ、前記第２の端末デバイスの前記伝送データの前記優先度が第３の閾値より大きい又はこれと等しい場合に、前記第２のリソースを利用することをスキップする段階、又は、
前記第１のリソース及び前記第２のリソースが重複し、前記端末デバイスの前記伝送データの前記優先度が第２の閾値より小さい又はこれと等しく、かつ、前記第２の端末デバイスの前記伝送データの前記優先度が第３の閾値より大きい又はこれと等しい場合に、前記第２のリソースを利用することをスキップする段階、又は、
前記第１のリソース及び前記第２のリソースが重複し、かつ、前記端末デバイスの前記伝送データの前記優先度が第４の閾値より大きい場合に、リソースを再選択する段階、又は、
前記第１のリソース及び前記第２のリソースが重複し、かつ、前記第２の端末デバイスの前記伝送データの前記優先度が第５の閾値より大きい又はこれと等しい場合に、リソースを再選択する段階、又は、
前記第１のリソース及び前記第２のリソースが重複し、前記端末デバイスの前記伝送データの前記優先度が第４の閾値より大きく、かつ、前記第２の端末デバイスの前記伝送データの前記優先度が第５の閾値より大きい又はこれと等しい場合に、リソースを再選択する段階
を実行するように具体的に構成される、請求項２８に記載のデバイス。
【請求項３１】
前記予め設定された条件は、前記端末デバイスの前記伝送データの前記優先度及び前記第２の端末デバイスの前記伝送データの前記優先度を含み、
前記第１のリソース及び第２のリソースが重複する場合に、前記第２のリソースを利用することをスキップする、又はリソースを再選択する前記段階において、前記プロセッサは、前記メモリに格納された前記プログラム命令を呼び出して実行し、前記第１のリソース及び前記第２のリソースが重複し、かつ、前記端末デバイスの前記伝送データの前記優先度と前記第２の端末デバイスの前記伝送データの前記優先度との間の差が第６の閾値より小さい又はこれと等しい場合に、前記第２のリソースを利用することをスキップする、又はリソースを再選択するように具体的に構成される、
請求項２８に記載のデバイス。
【請求項３２】
前記予め設定された条件は、前記端末デバイスの前記伝送データの前記タイプ及び／又は前記第２の端末デバイスの前記伝送データの前記タイプを含み、
前記第１のリソース及び第２のリソースが重複する場合に、前記第２のリソースを利用することをスキップする、又はリソースを再選択する前記段階において、前記プロセッサは、前記メモリに格納された前記プログラム命令を呼び出して実行し、
前記第１のリソース及び前記第２のリソースが重複し、かつ、前記端末デバイスの前記伝送データが非セキュリティ関連データである場合に、前記第２のリソースを利用することをスキップする段階、又は、
前記第１のリソース及び前記第２のリソースが重複し、かつ、前記第２の端末デバイスの前記伝送データがセキュリティ関連データである場合に、前記第２のリソースを利用することをスキップする段階、又は、
前記第１のリソース及び前記第２のリソースが重複し、前記端末デバイスの前記伝送データが非セキュリティ関連データであり、かつ、前記第２の端末デバイスの前記伝送データがセキュリティ関連データである場合に、前記第２のリソースを利用することをスキップする段階、又は、
前記第１のリソース及び前記第２のリソースが重複し、かつ、前記端末デバイスの前記伝送データがセキュリティ関連データである場合に、リソースを再選択する段階、又は、
前記第１のリソース及び前記第２のリソースが重複し、かつ、前記第２の端末デバイスの前記伝送データがセキュリティ関連データである場合に、リソースを再選択する段階、又は、
前記第１のリソース及び前記第２のリソースが重複し、前記端末デバイスの前記伝送データがセキュリティ関連データであり、かつ、前記第２の端末デバイスの前記伝送データがセキュリティ関連データである場合に、リソースを再選択する段階
を実行するように具体的に構成される、請求項２８に記載のデバイス。
【請求項３３】
前記予め設定された条件は、前記端末デバイスが前記データを伝送する前記回数及び／又は前記第２の端末デバイスが前記データを伝送する前記回数を含み、
前記第１のリソース及び第２のリソースが重複する場合に、前記第２のリソースを利用することをスキップする、又はリソースを再選択する前記段階において、前記プロセッサは、前記メモリに格納された前記プログラム命令を呼び出して実行し、
前記第１のリソース及び前記第２のリソースが重複し、かつ、前記端末デバイスの前記伝送データが再伝送データである場合に、前記第２のリソースを利用することをスキップする段階、又は、
前記第１のリソース及び前記第２のリソースが重複し、かつ、前記第２の端末デバイスの前記伝送データが初期伝送データである場合に、前記第２のリソースを利用することをスキップする段階、又は、
前記第１のリソース及び前記第２のリソースが重複し、前記端末デバイスの前記伝送データが再伝送データであり、かつ、前記第２の端末デバイスの前記伝送データが初期伝送データである場合に、前記第２のリソースを利用することをスキップする段階、又は、
前記第１のリソース及び前記第２のリソースが重複し、かつ、前記端末デバイスの前記伝送データが初期伝送データである場合に、リソースを再選択する段階、又は、
前記第１のリソース及び前記第２のリソースが重複し、かつ、前記第２の端末デバイスの前記伝送データが初期伝送データである場合に、リソースを再選択する段階、又は、
前記第１のリソース及び前記第２のリソースが重複し、前記端末デバイスの前記伝送データが初期伝送データであり、かつ、前記第２の端末デバイスの前記伝送データが初期伝送データである場合に、リソースを再選択する段階
を実行するように具体的に構成される、請求項２８に記載のデバイス。
【請求項３４】
前記予め設定された条件は、第２のリソースの前記数を含み、
前記第１のリソース及び第２のリソースが重複する場合に、前記第２のリソースを利用することをスキップする、又はリソースを再選択する前記段階において、前記プロセッサは、前記メモリに格納された前記プログラム命令を呼び出して実行し、
前記第１のリソース及び前記第２のリソースが重複し、かつ、第２のリソースの前記数が第７の閾値より小さい又はこれと等しい場合に、前記第２のリソースを利用することをスキップする段階、又は、
前記第１のリソース及び前記第２のリソースが重複し、かつ、前記第２のリソースが位置するサブフレームの数が第８の閾値より小さい又はこれと等しい場合に、前記第２のリソースを利用することをスキップする段階、又は、
前記第１のリソース及び前記第２のリソースが重複し、かつ、第２のリソースの前記数が第９の閾値より大きい場合に、リソースを再選択する段階、又は、
前記第１のリソース及び前記第２のリソースが重複し、かつ、前記第２のリソースが位置するサブフレームの数が第１０の閾値より大きい場合に、リソースを再選択する段階
を実行するように具体的に構成される、請求項２８に記載のデバイス。
【請求項３５】
前記プロセッサは、前記メモリに格納された前記プログラム命令を呼び出して実行し、前記第２の端末デバイスのリソース割り当てモードが、
基地局がリソースをスケジューリングするモード、
部分的センシングに基づいてリソースを選択するモード、
センシングに基づいてリソースを選択するモード、及び
ランダム選択に基づいてリソースを選択するモード
のいずれか１つであると決定するように構成される、請求項２５から３４のいずれか１項に記載のデバイス。
【請求項３６】
前記端末デバイスのリソース割り当てモードは、
リソースを自律的に選択するモード、
非部分的センシングに基づいてリソースを選択するモード、及び
センシングに基づいてリソースを選択又は再選択するモード
のいずれか１つである、請求項２５から３５のいずれか１項に記載のデバイス。
【請求項３７】
コンピュータ可読記憶媒体であって、
前記コンピュータ可読記憶媒体はコンピュータプログラムを格納し、前記コンピュータプログラムがプロセッサによって実行される場合に、請求項１から１２のいずれか１項に記載のリソース選択方法が実行される、
コンピュータ可読記憶媒体。
【請求項３８】
チップであって、
前記チップはコンピュータプログラムを格納し、前記コンピュータプログラムがプロセッサによって実行される場合に、請求項１から１２のいずれか１項に記載のリソース選択方法が実行される、
チップ。
【請求項３９】
命令を備えるコンピュータプログラム製品であって、
前記コンピュータプログラム製品が端末デバイス上で実行される場合に、前記端末デバイスは、請求項１から１２のいずれか１項に記載のリソース選択方法を実行可能にされる、
コンピュータプログラム製品。
【発明の詳細な説明】
【技術分野】
【０００１】
本願は通信技術分野に関し、具体的にはリソース選択方法及び端末デバイスに関する。
【背景技術】
【０００２】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）において近接サービス（Ｐｒｏｘｉｍｉｔｙ  Ｓｅｒｖｉｃｅ、ＰｒｏＳｅ）とも称されるセルラネットワークベースのデバイスツーデバイス（Ｄ２Ｄ）通信は、システムの制御の下で、セルリソースを多重化することによって、端末デバイスが互いに直接通信することを可能とする新たな技術である。これは、セルラ通信システムのスペクトル効率を改善し、端末デバイスの伝送電力を低減させ、無線通信システムにおけるスペクトルリソース欠如の問題をある程度解決することを可能とする。
【０００３】
車両のＤ２Ｄインターネット（ｖｅｈｉｃｌｅ  ｔｏ  ｅｖｅｒｙｔｈｉｎｇ、Ｖ２Ｘ）通信において、端末デバイスの２つのリソース割り当てモードがあり、２つの割り当てモードはそれぞれ、モード３及びモード４である。モード３は、基地局がスケジューリングを実行するリソース割り当てモードである。具体的には、基地局は、端末デバイスによってサイドリンクにおいて実行される通信に利用されるリソース又はパラメータをスケジューリングしてよい。モード４は、端末デバイスが選択を自律的に実行するリソース割り当てモードである。具体的には、端末デバイスは、サイドリンクにおいて実行される通信に利用されるリソース又はパラメータを自律的に選択してよい。従来技術では、モード４において、端末デバイスは、センシング（ｓｅｎｓｉｎｇ、モニタリング又はリスニングとして理解されてもよい）によってリソースを選択又は再選択してよく、又は端末デバイスは、ランダム選択に基づいて自律的な選択モードでリソースを選択又は再選択する。リソースが選択された後、リソースは、複数回のデータ伝送に利用されてよい。端末デバイスが、リソースを利用することによって具体的な回数の伝送を実行する場合、端末デバイスは、リソースを再選択してよい。モード４の端末デバイスは、データを伝送するためにリソースプールからリソースを選択してよい。リソースプールはリソースのセットであり、モード３の端末デバイスにスケジューリングされるリソースは、モード４のリソースによって利用されるリソースプールにおけるリソースと時間領域において重複しない。
【０００４】
リソースプールにおける（一部又は全部の）リソースがモード３の端末デバイス及びモード４の端末デバイスによって共有される場合、基地局は、モード４の端末デバイスによって自律的に選択されるリソースを認識することができないので、基地局によってモード３の端末デバイスにスケジューリングされるリソースは、モード４の端末デバイスによって自律的に選択されるリソースと競合することがある、又は、リソースをランダムに選択する端末デバイスはセンシングを実行しないので、端末デバイスによって選択されるリソースは、センシングを実行する端末デバイスによって選択されるリソースと競合し、端末デバイス間のリソース競合を引き起こす場合がある。従って、端末デバイス間のリソース競合は、当業者によって解決されるべき喫緊の問題である。
【発明の概要】
【０００５】
本願は、リソースプールにおけるリソースが共有リソースである場合に端末デバイス間でリソース競合が生じるという問題を解決すべく、リソース選択方法及び端末デバイスを提供する。
【０００６】
第１の態様によれば、本願の実施形態は、リソース選択方法を提供する。  リソース選択方法は、
第１の端末デバイスによって第１のリソースを決定する段階であって、第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む、段階と、
第１のリソース及び第２のリソースが重複する場合に、第１の端末デバイスによって第２のリソースを利用することをスキップする、又は第１の端末デバイスによってリソースを再選択する段階であって、第２のリソースは、第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、及び第１の端末デバイスによってデータを伝送するために利用されるべき候補リソースに基づいて決定されるリソースの１つ又は複数を含む、段階と
を含んでよい。
【０００７】
可能な実装において、データを伝送するために予約されるリソースは、リソース予約間隔と、第２の端末デバイスによってデータを伝送するために利用されるリソースとに基づいて決定される。データを伝送するために予約されるリソースと、第２のデバイスによってデータを伝送するために利用されるリソースとは、時間領域におけるリソース予約間隔によって分離され、データを伝送するために予約されるリソースと、第２のデバイスによってデータを伝送するために利用されるリソースとは、周波数領域において同じである、又は、周波数領域において、データを伝送するために予約されるリソースは、周波数ホッピングパターン及び第２のデバイスによってデータを伝送するために利用されるリソースに基づいて決定される。
【０００８】
リソースを選択する段階の前に、第１の端末デバイスが、第２の端末デバイスに対応する第１のリソースを最初に決定し、第１のリソースが第１の端末デバイスによって選択されるリソースと重複するか否かを決定することが認識されよう。第１のリソースが第１の端末デバイスによって選択されるリソースと重複する場合、第１の端末デバイスは第２のリソースを利用しない、又は第１の端末デバイスはリソースを再選択する。このように、リソースプールにおけるリソースが共有リソースである場合に端末デバイス間でリソース競合が生じるという問題が解決される。
【０００９】
可能な実装において、第１の端末デバイスによって第１のリソースを決定する段階は、
第１の端末デバイスによって、第２の端末デバイスによって送信された第１の情報を受信する段階であって、第１の情報は、第２の端末デバイスによってデータを伝送するために利用されるリソースを示すために利用される、段階と、
第１の端末デバイスによって、第２の端末デバイスによってデータを伝送するために利用されるリソースに基づいて、第１のリソースを決定する段階と
を含んでよい。
【００１０】
可能な実装において、第１の端末デバイスによって第１のリソースを決定する段階は、第１の端末デバイスによって、第２の情報及び第２の端末デバイスによってデータを伝送するために利用されるリソースに基づいて第１のリソースを決定する段階を含んでよく、第２の情報は、予約間隔を示すために利用される、又は第２の情報は、第１の端末デバイス又は第２の端末デバイスが利用可能なリソース予約期間のセットを示すために利用される、又は第２の情報は、第１のパラメータの値範囲を示すために利用され、第１のパラメータは、第１の端末デバイス又は第２の端末デバイスが利用可能なリソース予約期間のセットを示すために利用される。
【００１１】
可能な実装において、第１のリソース及び第２のリソースが重複する場合に、第１の端末デバイスによって第２のリソースを利用することをスキップする、又は第１の端末デバイスによってリソースを再選択する段階は、第１のリソース及び第２のリソースが重複し、かつ、予め設定された条件が満たされる場合に、第１の端末デバイスによって第２のリソースを利用することをスキップする、又は第１の端末デバイスによってリソースを再選択する段階であって、予め設定された条件は、第１の端末デバイスが第２の端末デバイスによって送信された信号を受信するときの受信電力、第１の端末デバイスの伝送データの優先度及び／又は第２の端末デバイスの伝送データの優先度、第１の端末デバイスの伝送データのタイプ及び／又は第２の端末デバイスの伝送データのタイプ、第１の端末デバイスがデータを伝送する回数及び／又は第２の端末デバイスがデータを伝送する回数、及び第２のリソースの数の１つ又は複数を含む、段階を含んでよい。
【００１２】
可能な実装において、予め設定された条件は、第１の端末デバイスが第２の端末デバイスによって送信された信号を受信するときの受信電力を含み、第１のリソース及び第２のリソースが重複し、かつ、予め設定された条件が満たされる場合に、第１の端末デバイスによって第２のリソースを利用することをスキップする、又は第１の端末デバイスによってリソースを再選択する段階は、第１のリソース及び第２のリソースが重複し、かつ、第１の端末デバイスが第２の端末デバイスによって送信された信号を受信するときの受信電力が第１の閾値より大きい場合に、第１の端末デバイスによって第２のリソースを利用することをスキップする、又は第１の端末デバイスによってリソースを再選択する段階を含んでよい。
【００１３】
可能な実装において、予め設定された条件は、第１の端末デバイスの伝送データの優先度及び／又は第２の端末デバイスの伝送データの優先度を含み、第１のリソース及び第２のリソースが重複し、かつ、予め設定された条件が満たされる場合に、第１の端末デバイスによって第２のリソースを利用することをスキップする、又は第１の端末デバイスによってリソースを再選択する段階は、第１のリソース及び第２のリソースが重複し、かつ、第１の端末デバイスの伝送データの優先度が第２の閾値より小さい又はこれと等しい場合に、第１の端末デバイスによって第２のリソースを利用することをスキップする段階、又は、第１のリソース及び第２のリソースが重複し、かつ、第２の端末デバイスの伝送データの優先度が第３の閾値より大きい又はこれと等しい場合に、第１の端末デバイスによって第２のリソースを利用することをスキップする段階、又は、第１のリソース及び第２のリソースが重複し、第１の端末デバイスの伝送データの優先度が第２の閾値より小さい又はこれと等しく、かつ、第２の端末デバイスの伝送データの優先度が第３の閾値より大きい又はこれと等しい場合に、第１の端末デバイスによって第２のリソースを利用することをスキップする段階、又は、第１のリソース及び第２のリソースが重複し、かつ、第１の端末デバイスの伝送データの優先度が第４の閾値より大きい場合に、第１の端末デバイスによってリソースを再選択する段階、又は、第１のリソース及び第２のリソースが重複し、かつ、第２の端末デバイスの伝送データの優先度が第５の閾値より大きい又はこれと等しい場合に、第１の端末デバイスによってリソースを再選択する段階、又は、第１のリソース及び第２のリソースが重複し、第１の端末デバイスの伝送データの優先度が第４の閾値より大きく、かつ、第２の端末デバイスの伝送データの優先度が第５の閾値より大きい又はこれと等しい場合に、第１の端末デバイスによってリソースを再選択する段階を含んでよい。
【００１４】
可能な実装において、予め設定された条件は、第１の端末デバイスの伝送データの優先度及び第２の端末デバイスの伝送データの優先度を含み、第１のリソース及び第２のリソースが重複し、かつ、予め設定された条件が満たされる場合に、第１の端末デバイスによって第２のリソースを利用することをスキップする、又は第１の端末デバイスによってリソースを再選択する段階は、第１のリソース及び第２のリソースが重複し、かつ、第１の端末デバイスの伝送データの優先度と第２の端末デバイスの伝送データの優先度との間の差が第６の閾値より小さい又はこれと等しい場合に、第１の端末デバイスによって第２のリソースを利用することをスキップする、又は第１の端末デバイスによってリソースを再選択する段階を含んでよい。
【００１５】
可能な実装において、予め設定された条件は、第１の端末デバイスの伝送データのタイプ及び／又は第２の端末デバイスの伝送データのタイプを含み、第１のリソース及び第２のリソースが重複し、かつ、予め設定された条件が満たされる場合に、第１の端末デバイスによって第２のリソースを利用することをスキップする、又は第１の端末デバイスによってリソースを再選択する段階は、第１のリソース及び第２のリソースが重複し、かつ、第１の端末デバイスの伝送データが非セキュリティ関連データである場合に、第１の端末デバイスによって第２のリソースを利用することをスキップする段階、又は、第１のリソース及び第２のリソースが重複し、かつ、第２の端末デバイスの伝送データがセキュリティ関連データである場合に、第１の端末デバイスによって第２のリソースを利用することをスキップする段階、又は、第１のリソース及び第２のリソースが重複し、第１の端末デバイスの伝送データが非セキュリティ関連データであり、かつ、第２の端末デバイスの伝送データがセキュリティ関連データである場合に、第１の端末デバイスによって第２のリソースを利用することをスキップする段階、又は、第１のリソース及び第２のリソースが重複し、かつ、第１の端末デバイスの伝送データがセキュリティ関連データである場合に、第１の端末デバイスによってリソースを再選択する段階、又は、第１のリソース及び第２のリソースが重複し、かつ、第２の端末デバイスの伝送データがセキュリティ関連データである場合に、第１の端末デバイスによってリソースを再選択する段階、又は、第１のリソース及び第２のリソースが重複し、第１の端末デバイスの伝送データがセキュリティ関連データであり、かつ、第２の端末デバイスの伝送データがセキュリティ関連データである場合に、第１の端末デバイスによってリソースを再選択する段階を含んでよい。
【００１６】
可能な実装において、予め設定された条件は、第１の端末デバイスがデータを伝送する回数及び／又は第２の端末デバイスがデータを伝送する回数を含み、第１のリソース及び第２のリソースが重複し、かつ、予め設定された条件が満たされる場合に、第１の端末デバイスによって第２のリソースを利用することをスキップする、又は第１の端末デバイスによってリソースを再選択する段階は、第１のリソース及び第２のリソースが重複し、かつ、第１の端末デバイスの伝送データが再伝送データである場合に、第１の端末デバイスによって第２のリソースを利用することをスキップする段階、又は、第１のリソース及び第２のリソースが重複し、かつ、第２の端末デバイスの伝送データが初期伝送データである場合に、第１の端末デバイスによって第２のリソースを利用することをスキップする段階、又は、第１のリソース及び第２のリソースが重複し、第１の端末デバイスの伝送データが再伝送データであり、かつ、第２の端末デバイスの伝送データが初期伝送データである場合に、第１の端末デバイスによって第２のリソースを利用することをスキップする段階、又は、第１のリソース及び第２のリソースが重複し、かつ、第１の端末デバイスの伝送データが初期伝送データである場合に、第１の端末デバイスによってリソースを再選択する段階、又は、第１のリソース及び第２のリソースが重複し、かつ、第２の端末デバイスの伝送データが初期伝送データである場合に、第１の端末デバイスによってリソースを再選択する段階、又は、第１のリソース及び第２のリソースが重複し、第１の端末デバイスの伝送データが初期伝送データであり、かつ、第２の端末デバイスの伝送データが初期伝送データである場合に、第１の端末デバイスによってリソースを再選択する段階を含んでよい。
【００１７】
可能な実装において、予め設定された条件は、第２のリソースの数を含み、第１のリソース及び第２のリソースが重複し、かつ、予め設定された条件が満たされる場合に、第１の端末デバイスによって第２のリソースを利用することをスキップする、又は第１の端末デバイスによってリソースを再選択する段階は、第１のリソース及び第２のリソースが重複し、かつ、第２のリソースの数が第７の閾値より小さい又はこれと等しい場合に、第１の端末デバイスによって第２のリソースを利用することをスキップする段階、又は、第１のリソース及び第２のリソースが重複し、かつ、第２のリソースが位置するサブフレームの数が第８の閾値より小さい又はこれと等しい場合に、第１の端末デバイスによって第２のリソースを利用することをスキップする段階、又は、第１のリソース及び第２のリソースが重複し、かつ、第２のリソースの数が第９の閾値より大きい場合に、第１の端末デバイスによってリソースを再選択する段階、又は、第１のリソース及び第２のリソースが重複し、かつ、第２のリソースが位置するサブフレームの数が第１０の閾値より大きい場合に、第１の端末デバイスによってリソースを再選択する段階を含んでよい。
【００１８】
可能な実装において、第１のリソース及び第２のリソースが重複する場合に、第１の端末デバイスによって第２のリソースを利用することをスキップする、又は第１の端末デバイスによってリソースを再選択する段階の前に、方法は、第１の端末デバイスによって、第２の端末デバイスのリソース割り当てモードが、基地局がリソースをスケジューリングするモード、部分的センシングに基づいてリソースを選択するモード、センシングに基づいてリソースを選択するモード、及びランダム選択に基づいてリソースを選択するモードのいずれか１つであると決定する段階をさらに含んでよい。
【００１９】
可能な実装において、第１の端末デバイスのリソース割り当てモードは、リソースを自律的に選択するモード、非部分的センシングに基づいてリソースを選択するモード、及びセンシングに基づいてリソースを選択又は再選択するモードのいずれか１つである。
【００２０】
第２の態様によれば、本願の実施形態は、端末デバイスをさらに提供する。端末デバイスは、
第１のリソースを決定するように構成される決定ユニットであって、第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む、決定ユニットと、
第１のリソース及び第２のリソースが重複する場合に、第２のリソースを利用することをスキップする、又はリソースを再選択するように構成される処理ユニットであって、第２のリソースは、端末デバイスによってデータを伝送するために選択されるリソース、端末デバイスによってデータを伝送するために利用されるべき候補リソース、端末デバイスによってデータを伝送するために選択されるリソースに基づいて決定されるリソース、及び端末デバイスによってデータを伝送するために利用されるべき候補リソースに基づいて決定されるリソースの１つ又は複数を含む、処理ユニットと
を含んでよい。
【００２１】
可能な実装において、決定ユニットは、受信サブユニット及び決定サブユニットを含んでよい。受信サブユニットは、第２の端末デバイスによって送信された第１の情報を受信するように構成され、第１の情報は、第２の端末デバイスによってデータを伝送するために利用されるリソースを示すために利用され、
決定サブユニットは、第２の端末デバイスによってデータを伝送するために利用されるリソースに基づいて、第１のリソースを決定するように構成される。
【００２２】
可能な実装において、決定ユニットは、第２の情報及び第２の端末デバイスによってデータを伝送するために利用されるリソースに基づいて、第１のリソースを決定するように具体的に構成され、
第２の情報は、予約間隔を示すために利用される、又は第２の情報は、端末デバイス又は第２の端末デバイスが利用可能なリソース予約期間のセットを示すために利用される、又は第２の情報は、第１のパラメータの値範囲を示すために利用され、第１のパラメータは、端末デバイス又は第２の端末デバイスが利用可能なリソース予約期間のセットを示すために利用される。
【００２３】
可能な実装において、処理ユニットは、第１のリソース及び第２のリソースが重複し、かつ、予め設定された条件が満たされる場合に、第２のリソースを利用することをスキップする、又はリソースを再選択するように具体的に構成され、予め設定された条件は、
端末デバイスが第２の端末デバイスによって送信された信号を受信するときの受信電力、端末デバイスの伝送データの優先度及び／又は第２の端末デバイスの伝送データの優先度、端末デバイスの伝送データのタイプ及び／又は第２の端末デバイスの伝送データのタイプ、端末デバイスがデータを伝送する回数及び／又は第２の端末デバイスがデータを伝送する回数、及び第２のリソースの数
の１つ又は複数を含む。
【００２４】
可能な実装において、予め設定された条件は、端末デバイスが第２の端末デバイスによって送信された信号を受信するときの受信電力を含み、
処理ユニットは、第１のリソース及び第２のリソースが重複し、かつ、端末デバイスが第２の端末デバイスによって送信された信号を受信するときの受信電力が第１の閾値より大きい場合に、第２のリソースを利用することをスキップする、又はリソースを再選択するように具体的に構成される。
【００２５】
可能な実装において、予め設定された条件は、端末デバイスの伝送データの優先度及び／又は第２の端末デバイスの伝送データの優先度を含み、
処理ユニットは、
第１のリソース及び第２のリソースが重複し、かつ、端末デバイスの伝送データの優先度が第２の閾値より小さい又はこれと等しい場合に、第２のリソースを利用することをスキップする、又は、
第１のリソース及び第２のリソースが重複し、かつ、第２の端末デバイスの伝送データの優先度が第３の閾値より大きい又はこれと等しい場合に、第２のリソースを利用することをスキップする、又は、
第１のリソース及び第２のリソースが重複し、端末デバイスの伝送データの優先度が第２の閾値より小さい又はこれと等しく、かつ、第２の端末デバイスの伝送データの優先度が第３の閾値より大きい又はこれと等しい場合に、第２のリソースを利用することをスキップする、又は、
第１のリソース及び第２のリソースが重複し、かつ、端末デバイスの伝送データの優先度が第４の閾値より大きい場合に、リソースを再選択する、又は、
第１のリソース及び第２のリソースが重複し、かつ、第２の端末デバイスの伝送データの優先度が第５の閾値より大きい又はこれと等しい場合に、リソースを再選択する、又は、
第１のリソース及び第２のリソースが重複し、端末デバイスの伝送データの優先度が第４の閾値より大きく、かつ、第２の端末デバイスの伝送データの優先度が第５の閾値より大きい又はこれと等しい場合に、リソースを再選択する
ように具体的に構成される。
【００２６】
可能な実装において、予め設定された条件は、端末デバイスの伝送データの優先度及び第２の端末デバイスの伝送データの優先度を含み、
処理ユニットは、第１のリソース及び第２のリソースが重複し、かつ、端末デバイスの伝送データの優先度と第２の端末デバイスの伝送データの優先度との間の差が第６の閾値より小さい又はこれと等しい場合に、第２のリソースを利用することをスキップする、又はリソースを再選択するように具体的に構成される。
【００２７】
可能な実装において、予め設定された条件は、端末デバイスの伝送データのタイプ及び／又は第２の端末デバイスの伝送データのタイプを含み、
処理ユニットは、
第１のリソース及び第２のリソースが重複し、かつ、端末デバイスの伝送データが非セキュリティ関連データである場合に、第２のリソースを利用することをスキップする、又は、
第１のリソース及び第２のリソースが重複し、かつ、第２の端末デバイスの伝送データがセキュリティ関連データである場合に、第２のリソースを利用することをスキップする、又は、
第１のリソース及び第２のリソースが重複し、端末デバイスの伝送データが非セキュリティ関連データであり、かつ、第２の端末デバイスの伝送データがセキュリティ関連データである場合に、第２のリソースを利用することをスキップする、又は、
第１のリソース及び第２のリソースが重複し、かつ、端末デバイスの伝送データがセキュリティ関連データである場合に、リソースを再選択する、又は、
第１のリソース及び第２のリソースが重複し、かつ、第２の端末デバイスの伝送データがセキュリティ関連データである場合に、リソースを再選択する、又は、
第１のリソース及び第２のリソースが重複し、端末デバイスの伝送データがセキュリティ関連データであり、かつ、第２の端末デバイスの伝送データがセキュリティ関連データである場合に、リソースを再選択する
ように具体的に構成される。
【００２８】
可能な実装において、予め設定された条件は、端末デバイスがデータを伝送する回数及び／又は第２の端末デバイスがデータを伝送する回数を含み、
処理ユニットは、
第１のリソース及び第２のリソースが重複し、かつ、端末デバイスの伝送データが再伝送データである場合に、第２のリソースを利用することをスキップする、又は、
第１のリソース及び第２のリソースが重複し、かつ、第２の端末デバイスの伝送データが初期伝送データである場合に、第２のリソースを利用することをスキップする、又は、
第１のリソース及び第２のリソースが重複し、端末デバイスの伝送データが再伝送データであり、かつ、第２の端末デバイスの伝送データが初期伝送データである場合に、第２のリソースを利用することをスキップする、又は、
第１のリソース及び第２のリソースが重複し、かつ、端末デバイスの伝送データが初期伝送データである場合に、リソースを再選択する、又は、
第１のリソース及び第２のリソースが重複し、かつ、第２の端末デバイスの伝送データが初期伝送データである場合に、リソースを再選択する、又は、
第１のリソース及び第２のリソースが重複し、端末デバイスの伝送データが初期伝送データであり、かつ、第２の端末デバイスの伝送データが初期伝送データである場合に、リソースを再選択する
ように具体的に構成される。
【００２９】
可能な実装において、予め設定された条件は、第２のリソースの数を含み、
処理ユニットは、
第１のリソース及び第２のリソースが重複し、かつ、第２のリソースの数が第７の閾値より小さい又はこれと等しい場合に、第２のリソースを利用することをスキップする、又は、
第１のリソース及び第２のリソースが重複し、かつ、第２のリソースが位置するサブフレームの数が第８の閾値より小さい又はこれと等しい場合に、第２のリソースを利用することをスキップする、又は、
第１のリソース及び第２のリソースが重複し、かつ、第２のリソースの数が第９の閾値より大きい場合に、リソースを再選択する、又は、
第１のリソース及び第２のリソースが重複し、かつ、第２のリソースが位置するサブフレームの数が第１０の閾値より大きい場合に、リソースを再選択する
ように具体的に構成される。
【００３０】
可能な実装において、決定ユニットは、第２の端末デバイスのリソース割り当てモードが、
基地局がリソースをスケジューリングするモード、
部分的センシングに基づいてリソースを選択するモード、
センシングに基づいてリソースを選択するモード、及び
ランダム選択に基づいてリソースを選択するモード
のいずれか１つであると決定するようにさらに構成される。
【００３１】
可能な実装において、端末デバイスのリソース割り当てモードは、
リソースを自律的に選択するモード、
非部分的センシングに基づいてリソースを選択するモード、及び
センシングに基づいてリソースを選択又は再選択するモード
のいずれか１つである。
【００３２】
第３の態様によれば、本願の実施形態は、端末デバイスをさらに提供する。端末デバイスは、プロセッサ及びメモリを含んでよく、プロセッサ及びメモリは、通信バスを介して接続される。
【００３３】
メモリは、プログラム命令を格納するように構成される。
【００３４】
プロセッサは、メモリに格納されたプログラム命令を呼び出して実行し、
第１のリソースを決定する段階であって、第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む、段階と、
第１のリソース及び第２のリソースが重複する場合に、第２のリソースを利用することをスキップする、又はリソースを再選択する段階であって、第２のリソースは、端末デバイスによってデータを伝送するために選択されるリソース、端末デバイスによってデータを伝送するために利用されるべき候補リソース、端末デバイスによってデータを伝送するために選択されるリソースに基づいて決定されるリソース、及び端末デバイスによってデータを伝送するために利用されるべき候補リソースに基づいて決定されるリソースの１つ又は複数を含む、段階と
を実行するように構成される。
【００３５】
可能な実装において、端末デバイスは、送受信機をさらに含んでよく、
送受信機は、第２の端末デバイスによって送信された第１の情報を受信するように構成され、第１の情報は、第２の端末デバイスによってデータを伝送するために利用されるリソースを示すために利用され、
第１のリソースを決定する段階において、プロセッサは、メモリに格納されたプログラム命令を呼び出して実行し、第２の端末デバイスによってデータを伝送するために利用されるリソースに基づいて、第１のリソースを決定するように具体的に構成される。
【００３６】
可能な実装において、第１のリソースを決定する段階において、プロセッサは、メモリに格納されたプログラム命令を呼び出して実行し、第２の情報及び第２の端末デバイスによってデータを伝送するために利用されるリソースに基づいて、第１のリソースを決定するように具体的に構成され、
第２の情報は、予約間隔を示すために利用される、又は第２の情報は、端末デバイス又は第２の端末デバイスが利用可能なリソース予約期間のセットを示すために利用される、又は第２の情報は、第１のパラメータの値範囲を示すために利用され、第１のパラメータは、端末デバイス又は第２の端末デバイスが利用可能なリソース予約期間のセットを示すために利用される。
【００３７】
可能な実装において、第１のリソース及び第２のリソースが重複する場合に、第２のリソースを利用することをスキップする、又はリソースを再選択する段階において、プロセッサは、メモリに格納されたプログラム命令を呼び出して実行し、第１のリソース及び第２のリソースが重複し、かつ、予め設定された条件が満たされる場合に、第２のリソースを利用することをスキップする、又はリソースを再選択するように具体的に構成され、
予め設定された条件は、
端末デバイスが第２の端末デバイスによって送信された信号を受信するときの受信電力、端末デバイスの伝送データの優先度及び／又は第２の端末デバイスの伝送データの優先度、端末デバイスの伝送データのタイプ及び／又は第２の端末デバイスの伝送データのタイプ、端末デバイスがデータを伝送する回数及び／又は第２の端末デバイスがデータを伝送する回数、及び第２のリソースの数
の１つ又は複数を含む。
【００３８】
可能な実装において、予め設定された条件は、端末デバイスが第２の端末デバイスによって送信された信号を受信するときの受信電力を含んでよく、
第１のリソース及び第２のリソースが重複する場合に、第２のリソースを利用することをスキップする、又はリソースを再選択する段階において、プロセッサは、第１のリソース及び第２のリソースが重複し、かつ、端末デバイスが第２の端末デバイスによって送信された信号を受信するときの受信電力が第１の閾値より大きい場合に、メモリに格納されたプログラム命令を呼び出して実行し、第２のリソースを利用することをスキップする、又はリソースを再選択するように具体的に構成される。
【００３９】
可能な実装において、予め設定された条件は、端末デバイスの伝送データの優先度及び／又は第２の端末デバイスの伝送データの優先度を含んでよく、
第１のリソース及び第２のリソースが重複する場合に、第２のリソースを利用することをスキップする、又はリソースを再選択する段階において、プロセッサは、メモリに格納されたプログラム命令を呼び出して実行し、
第１のリソース及び第２のリソースが重複し、かつ、端末デバイスの伝送データの優先度が第２の閾値より小さい又はこれと等しい場合に、第２のリソースを利用することをスキップする段階、又は、
第１のリソース及び第２のリソースが重複し、かつ、第２の端末デバイスの伝送データの優先度が第３の閾値より大きい又はこれと等しい場合に、第２のリソースを利用することをスキップする段階、又は、
第１のリソース及び第２のリソースが重複し、端末デバイスの伝送データの優先度が第２の閾値より小さい又はこれと等しく、かつ、第２の端末デバイスの伝送データの優先度が第３の閾値より大きい又はこれと等しい場合に、第２のリソースを利用することをスキップする段階、又は、
第１のリソース及び第２のリソースが重複し、かつ、端末デバイスの伝送データの優先度が第４の閾値より大きい場合に、リソースを再選択する段階、又は、
第１のリソース及び第２のリソースが重複し、かつ、第２の端末デバイスの伝送データの優先度が第５の閾値より大きい又はこれと等しい場合に、リソースを再選択する段階、又は、
第１のリソース及び第２のリソースが重複し、端末デバイスの伝送データの優先度が第４の閾値より大きく、かつ、第２の端末デバイスの伝送データの優先度が第５の閾値より大きい又はこれと等しい場合に、リソースを再選択する段階
を実行するように具体的に構成される。
【００４０】
可能な実装において、予め設定された条件は、端末デバイスの伝送データの優先度及び第２の端末デバイスの伝送データの優先度を含んでよく、
第１のリソース及び第２のリソースが重複する場合に、第２のリソースを利用することをスキップする、又はリソースを再選択する段階において、プロセッサは、メモリに格納されたプログラム命令を呼び出して実行し、第１のリソース及び第２のリソースが重複し、かつ、端末デバイスの伝送データの優先度と第２の端末デバイスの伝送データの優先度との間の差が第６の閾値より小さい又はこれと等しい場合に、第２のリソースを利用することをスキップする、又はリソースを再選択するように具体的に構成される。
【００４１】
可能な実装において、予め設定された条件は、端末デバイスの伝送データのタイプ及び／又は第２の端末デバイスの伝送データのタイプを含んでよく、
第１のリソース及び第２のリソースが重複する場合に、第２のリソースを利用することをスキップする、又はリソースを再選択する段階において、プロセッサは、メモリに格納されたプログラム命令を呼び出して実行し、
第１のリソース及び第２のリソースが重複し、かつ、端末デバイスの伝送データが非セキュリティ関連データである場合に、第２のリソースを利用することをスキップする段階、又は、
第１のリソース及び第２のリソースが重複し、かつ、第２の端末デバイスの伝送データがセキュリティ関連データである場合に、第２のリソースを利用することをスキップする段階、又は、
第１のリソース及び第２のリソースが重複し、端末デバイスの伝送データが非セキュリティ関連データであり、かつ、第２の端末デバイスの伝送データがセキュリティ関連データである場合に、第２のリソースを利用することをスキップする段階、又は、
第１のリソース及び第２のリソースが重複し、かつ、端末デバイスの伝送データがセキュリティ関連データである場合に、リソースを再選択する段階、又は、
第１のリソース及び第２のリソースが重複し、かつ、第２の端末デバイスの伝送データがセキュリティ関連データである場合に、リソースを再選択する段階、又は、
第１のリソース及び第２のリソースが重複し、端末デバイスの伝送データがセキュリティ関連データであり、かつ、第２の端末デバイスの伝送データがセキュリティ関連データである場合に、リソースを再選択する段階
を実行するように具体的に構成される。
【００４２】
可能な実装において、予め設定された条件は、端末デバイスがデータを伝送する回数及び／又は第２の端末デバイスがデータを伝送する回数を含んでよく、
第１のリソース及び第２のリソースが重複する場合に、第２のリソースを利用することをスキップする、又はリソースを再選択する段階において、プロセッサは、メモリに格納されたプログラム命令を呼び出して実行し、
第１のリソース及び第２のリソースが重複し、かつ、端末デバイスの伝送データが再伝送データである場合に、第２のリソースを利用することをスキップする段階、又は、
第１のリソース及び第２のリソースが重複し、かつ、第２の端末デバイスの伝送データが初期伝送データである場合に、第２のリソースを利用することをスキップする段階、又は、
第１のリソース及び第２のリソースが重複し、端末デバイスの伝送データが再伝送データであり、かつ、第２の端末デバイスの伝送データが初期伝送データである場合に、第２のリソースを利用することをスキップする段階、又は、
第１のリソース及び第２のリソースが重複し、かつ、端末デバイスの伝送データが初期伝送データである場合に、リソースを再選択する段階、又は、
第１のリソース及び第２のリソースが重複し、かつ、第２の端末デバイスの伝送データが初期伝送データである場合に、リソースを再選択する段階、又は、
第１のリソース及び第２のリソースが重複し、端末デバイスの伝送データが初期伝送データであり、かつ、第２の端末デバイスの伝送データが初期伝送データである場合に、リソースを再選択する段階
を実行するように具体的に構成される。
【００４３】
可能な実装において、予め設定された条件は、第２のリソースの数を含んでよく、
第１のリソース及び第２のリソースが重複する場合に、第２のリソースを利用することをスキップする、又はリソースを再選択する段階において、プロセッサは、メモリに格納されたプログラム命令を呼び出して実行し、
第１のリソース及び第２のリソースが重複し、かつ、第２のリソースの数が第７の閾値より小さい又はこれと等しい場合に、第２のリソースを利用することをスキップする段階、又は、
第１のリソース及び第２のリソースが重複し、かつ、第２のリソースが位置するサブフレームの数が第８の閾値より小さい又はこれと等しい場合に、第２のリソースを利用することをスキップする段階、又は、
第１のリソース及び第２のリソースが重複し、かつ、第２のリソースの数が第９の閾値より大きい場合に、リソースを再選択する段階、又は、
第１のリソース及び第２のリソースが重複し、かつ、第２のリソースが位置するサブフレームの数が第１０の閾値より大きい場合に、リソースを再選択する段階
を実行するように具体的に構成される。
【００４４】
可能な実装において、プロセッサは、メモリに格納されたプログラム命令を呼び出して実行し、第２の端末デバイスのリソース割り当てモードが、
基地局がリソースをスケジューリングするモード、
部分的センシングに基づいてリソースを選択するモード、
センシングに基づいてリソースを選択するモード、及び
ランダム選択に基づいてリソースを選択するモード
のいずれか１つであると決定するように構成される。
【００４５】
可能な実装において、端末デバイスのリソース割り当てモードは、
リソースを自律的に選択するモード、
非部分的センシングに基づいてリソースを選択するモード、及び
センシングに基づいてリソースを選択又は再選択するモード
のいずれか１つである。
【００４６】
第４の態様によれば、本願の実施形態は、端末デバイスをさらに提供する。端末デバイスは、プロセッサ及びメモリを含んでよく、プロセッサ及びメモリは、通信バスを介して接続される。
【００４７】
メモリは、プログラム命令を格納するように構成される。
【００４８】
プロセッサは、メモリに格納されたプログラム命令を呼び出して実行し、第１の態様の可能な実装のいずれか１つに記載のリソース選択方法を実行するように構成される。
【００４９】
第５の態様によれば、本願の実施形態は、コンピュータ可読記憶媒体をさらに提供する。コンピュータ可読記憶媒体はコンピュータプログラムを格納し、コンピュータプログラムがプロセッサによって実行される場合に、第１の態様の可能な実装のいずれか１つに記載のリソース選択方法が実行される。
【００５０】
第６の態様によれば、本願の実施形態は、チップをさらに提供する。チップは、コンピュータプログラムを格納し、コンピュータプログラムがプロセッサによって実行される場合に、第１の態様の可能な実装のいずれか１つに記載のリソース選択方法が実行される。
【００５１】
第７の態様によれば、本願の実施形態は、命令を含むコンピュータプログラム製品をさらに提供する。コンピュータプログラム製品が端末デバイス上で実行される場合、端末デバイスは、第１の態様の可能な実装のいずれか１つに記載のリソース選択方法を実行可能にされる。
【００５２】
本願の実施形態は、リソース選択方法及び端末デバイスを提供する。  方法は、第１の端末デバイスによって第１のリソースを決定する段階であって、第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む、段階と、第１のリソース及び第２のリソースが重複する場合に、第１の端末デバイスによって第２のリソースを利用することをスキップする、又は第１の端末デバイスによってリソースを再選択する段階であって、第２のリソースは、第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、及び第１の端末デバイスによってデータを伝送するために利用されるべき候補リソースに基づいて決定されるリソースの１つ又は複数を含む、段階とを含む。第１の端末デバイスがリソースを選択した、又はリソースを選択している場合に、第１の端末デバイスが、第２の端末デバイスに対応する第１のリソースを最初に決定し、第１のリソースと、第１の端末デバイスによって選択されるリソース又は第１の端末デバイスの候補リソースとが重複するか否かを決定することが認識されよう。第１のリソースが第１の端末デバイスによって選択されるリソース又は第１の端末デバイスの候補リソースと重複する場合、第１の端末デバイスは第２のリソースを利用しない、又は第１の端末デバイスはリソースを再選択する。このように、リソースプールにおけるリソースが共有リソースである場合に端末デバイス間でリソース競合が生じるという問題が解決される。
【図面の簡単な説明】
【００５３】
【図１】本願の実施形態に係る適用シナリオの概略図である。
【００５４】
【図２】本願の実施形態に係るリソース選択方法の概略図である。
【００５５】
【図３】本願の実施形態に係る第１のリソースの概略図である。
【００５６】
【図４】本願の実施形態に係る他の第１のリソースの概略図である。
【００５７】
【図５】本願の実施形態に係るさらに他の第１のリソースの概略図である。
【００５８】
【図６】本願の実施形態に係る第１の端末デバイスによってデータを伝送するために選択されるリソースに基づいて決定されるリソースの概略図である。
【００５９】
【図７】本願の実施形態に係るリソース重複の概略図である。
【００６０】
【図８】本願の実施形態に係る第１の端末デバイスによってリソースを再選択する他の概略図である。
【００６１】
【図９】本願の実施形態に係る第１の端末デバイスによってリソースを再選択するさらに他の概略図である。
【００６２】
【図１０】本願の実施形態に係る第１の端末デバイスによってリソースを再選択する概略図である。
【００６３】
【図１１】本願の実施形態に係る端末デバイスの概略構造図である。
【００６４】
【図１２】本願の実施形態に係る他の端末デバイスの概略構造図である。
【００６５】
【図１３】本願の実施形態に係る端末デバイスの概略構造図である。
【００６６】
【図１４】本願の実施形態に係る他の端末デバイスの概略構造図である。
【発明を実施するための形態】
【００６７】
本願の実施形態は、様々な通信システム、例えば、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、符号分割多重接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）、５Ｇ通信システム、又は将来登場し得る他のシステムに適用されてよい。以下、当業者がより良く理解するための助けとなるよう、本願おけるいくつかの用語を説明する。本願の実施形態における解決手段が５Ｇシステム又は将来登場し得る他のシステムに適用される場合、ネットワークデバイス及び端末デバイスの名称は変わる場合があるが、これは本願の実施形態における解決手段の実装に影響を与えるものではないことに留意されたい。
【００６８】
図１は、本願の実施形態に係る適用シナリオの概略図である。通信システムは、少なくとも１つの第１の端末デバイスと、少なくとも１つの第２の端末デバイスとを含んでよい。図１を参照すると、例えば、通信システムは、１つの第１の端末デバイスと、３つの第２の端末デバイスとを含む。３つの第２の端末デバイスは、それぞれ、第２の端末デバイス１、第２の端末デバイス２、及び第２の端末デバイス３である。第１の端末デバイスはリソースプールに対応し、第１の端末デバイスは、データを伝送するためのリソースプールにおけるリソースを選択してよい。第２の端末デバイス１に対応するリソースプールはリソースプール１であり、第２の端末デバイス２に対応するリソースプールはリソースプール２であり、第２の端末デバイス３に対応するリソースプールはリソースプール３である。第１の端末デバイスによって利用されるリソースプールにおけるリソースと、第２の端末デバイスによって利用されるリソースとが重複する（リソースが共有されている）場合、第１の端末デバイスによって選択されるリソースと、第２の端末デバイスによって利用されるリソースとは競合する場合がある。勿論、３つの第２の端末デバイスは、それぞれの対応するリソースプールを有さなくてよく、３つの第２の端末デバイスによって利用されるリソースは、ネットワークデバイスによってスケジューリングされるリソースであってよい。図１に示される適用シナリオは、具体的には、車両Ｖ２Ｘ通信システムのインターネットであってよい。
【００６９】
（１）端末デバイスは、端末又はユーザ装置とも称され、音声及び／又はデータ接続性をユーザに提供するデバイスであり、例えば、無線接続機能を有するハンドヘルドデバイス又は車載デバイスである。一般的な端末デバイスは、例えば、携帯電話、タブレット、ノートブックコンピュータ、パームトップコンピュータ、モバイルインターネットデバイス（ｍｏｂｉｌｅ  ｉｎｔｅｒｎｅｔ  ｄｅｖｉｃｅ、ＭＩＤ）、及びウェアラブルデバイスを含む。ウェアラブルデバイスは、例えば、スマートウォッチ、スマートバンド、又は歩数計を含む。
【００７０】
（２）ネットワークデバイスは、無線アクセスネットワーク（Ｒａｄｉｏ  Ａｃｃｅｓｓ  Ｎｅｔｗｏｒｋ、ＲＡＮ）デバイスとも称され、端末デバイスを無線ネットワークにアクセス可能にするデバイスであり、様々な通信規格のネットワークデバイスを含み、例えば、限定されるものではないが、基地局、発展型ノードＢ（ｅｖｏｌｖｅｄ  ＮｏｄｅＢ、ｅＮＢ）、無線ネットワークコントローラ（ｒａｄｉｏ  ｎｅｔｗｏｒｋ  ｃｏｎｔｒｏｌｌｅｒ、ＲＮＣ）、ＮｏｄｅＢ（ＮｏｄｅＢ、ＮＢ）、ネットワークデバイスコントローラ（Ｂａｓｅ  Ｓｔａｔｉｏｎ  Ｃｏｎｔｒｏｌｌｅｒ、ＢＳＣ）、ネットワークデバイス送受信局（Ｂａｓｅ  Ｔｒａｎｓｃｅｉｖｅｒ  Ｓｔａｔｉｏｎ、ＢＴＳ）、ホームネットワークデバイス（例えば、Ｈｏｍｅ  ｅｖｏｌｖｅｄ  ＮｏｄｅＢ又はＨｏｍｅ  ＮｏｄｅＢ、ＨＮＢ）、及びベースバンドユニット（ＢａｓｅＢａｎｄ  Ｕｎｉｔ、ＢＢＵ）を含む。ネットワークデバイスは、様々な周波数規格のネットワークデバイスを含み、例えば、限定されるものではないが、低周波数ネットワークデバイス及び高周波数ネットワークデバイスを含む。
【００７１】
（３）用語「複数の」は、２つ又はそれより多いことを示し、他の数量詞も用語「複数の」と同様である。用語「及び／又は」は、関連付けられたオブジェクト間の対応関係を説明し、３つの関係が存在し得ることを表す。例えば、Ａ及び／又はＢは、以下の３つの場合、すなわち、Ａのみが存在する場合、Ａ及びＢの両方が存在する場合、及びＢのみが存在する場合を表してよい。符号「／」は、通常、関連付けられたオブジェクト間における「又は」の関係を示す。
【００７２】
リソースプールにおけるリソースが共有リソースである場合、端末デバイス間にリソース競合が生じる。例えば、基地局がリソースをスケジューリングする端末デバイスによって利用されるリソースは、リソースを自律的に選択する端末デバイスによって利用されるリソースプールにおけるリソースと重複し、非部分的センシングに基づいて端末デバイスによって利用されるリソースプールは、部分的センシングに基づいて端末デバイスによって利用されるリソースプールと重複し、センシングに基づいて端末デバイスによって利用されるリソースプールは、リソースをランダムに選択する端末デバイスによって利用されリソースプールと重複し、２つの端末デバイスがリソースを選択又は再選択する場合に２つの端末デバイスの候補リソースが時間領域において重複する場合、２つの端末デバイスは互いによって選択されるリソースに関する情報及び／又は互いによって予約されるリソースに関する情報を感知できず、その結果として、２つの端末デバイスによって選択されるリソースが競合する可能性があり、２つの端末デバイスによって利用されるリソース予約間隔が特定の組み合わせである場合、既存のリソース選択メカニズムにおいて、端末デバイスによって選択されるリソースは、他の端末デバイスによって選択されるリソースと競合する可能性もある。前述の問題を解決するために、本願の実施形態は、リソース選択方法を提供する。リソースを選択する前に、第１の端末デバイスは、第２の端末デバイスによってデータを伝送するために利用されるリソース及び／又はデータを伝送するために予約されるリソースを最初に決定し、第２の端末デバイスによってデータを伝送するために利用されるリソース及び／又はデータを伝送するために予約されるリソースが、第１の端末デバイスによって選択されるリソースと重複するか否かを決定する。第２の端末デバイスによってデータを伝送するために利用されるリソース及び／又はデータを伝送するために予約されるリソースが、第１の端末デバイスによって選択されるリソースと重複する場合、第１の端末デバイスは第２のリソースを利用しない、又は第１の端末デバイスはリソースを再選択する。
【００７３】
以下、具体的な実施形態を利用して、本願の技術的解決手段、及び本願の技術的解決手段において前述の技術的問題点をどのように解決したかを詳細に説明する。以下の具体的な実施形態は、相互に組み合わせられてよく、同じ又は同様の概念又はプロセスは、いくつかの実施形態において繰り返し説明されない場合がある。
【００７４】
図２は、本願の実施形態に係るリソース選択方法の概略図である。リソース選択方法は、第１の端末デバイスによって実行されてよい。図２を参照すると、リソース選択方法は、以下の段階を含んでよい。
【００７５】
Ｓ２０１：第１の端末デバイスは、第２の端末デバイスのリソース選択モードが予め設定されたモードであると決定する。
【００７６】
予め設定されたモードは、基地局がリソースをスケジューリングするモード、部分的センシングに基づいてリソースを選択するモード、センシングに基づいてリソースを選択又は再選択するモード、及びランダム選択に基づいてリソースを選択又は再選択するモードのいずれか１つであってよい。
【００７７】
例えば、１つ又は複数の第２の端末デバイスが設けられてよい。ここで、第２の端末デバイスの数は、本願の本実施形態において、具体的に限定されない。
【００７８】
同様に、第１の端末デバイスのリソース選択モードも、基地局がリソースをスケジューリングするモード、部分的センシングに基づいてリソースを選択するモード、センシングに基づいてリソースを選択するモード、及びランダム選択に基づいてリソースを選択するモードのいずれか１つであってよい。
【００７９】
例えば、第１の端末デバイスがリリース１５の端末デバイスである場合、第２の端末デバイスはリリース１４の端末デバイス又はリリース１５の端末デバイスであってよく、第１の端末デバイスが非部分的センシングに基づいてリソースを選択する端末デバイスである場合、第２の端末デバイスは部分的センシングに基づいてリソースを選択する端末デバイスであってよく、第１の端末デバイスがセンシングに基づいてリソースを選択する端末デバイスである場合、第２の端末デバイスはランダム選択に基づいてリソースを選択する端末デバイスであってよく、第１の端末デバイスが非Ｐ２Ｘ関連のＶ２Ｘ通信を実行する端末デバイスである場合、第２の端末デバイスはＰ２Ｘ関連のＶ２Ｘ通信を実行する端末デバイスであってよく、又は、勿論、第１の端末デバイス及び第２の端末デバイスの各々は、センシングに基づいてリソースを選択する端末デバイスであってよい。
【００８０】
例えば、本願の本実施形態において、第１の端末デバイスは、第１のインジケーション情報に基づいて第２の端末デバイスのリソース選択モードを決定してよく、第１のインジケーション情報は、第２の端末デバイスのリソース割り当てモードを示すために利用される。任意選択的に、第１のインジケーション情報は、制御情報に含まれてよい。３ＧＰＰで定義されるＤ２Ｄ通信又はＶ２Ｘ通信において、制御情報はＳＣＩであってよい。具体的には、第１の端末デバイスが第２の端末デバイスのリソース選択モードを決定する場合、１つの方式において、第１のインジケーション情報は、第２の端末デバイスのリソース割り当てモードが、基地局がリソースをスケジューリングするモードであること、又は、第２の端末デバイスのリソース割り当てモードが、センシングに基づいてリソースを選択するモードであることを示してよい。例えば、第１のインジケーション情報は、１ビットである。第１のインジケーション情報が「０」の場合、これは、第２の端末デバイスのリソース割り当てモードが、基地局がリソースをスケジューリングするモードであることを示す。第１のインジケーション情報が「１」の場合、これは、第２の端末デバイスのリソース割り当てモードが、センシングに基づいてリソースを選択するモードであることを示す。第１のインジケーション情報は、第２の端末デバイスによって送信される制御情報に含まれてよい。他の方式において、第１のインジケーション情報は、第１の端末デバイスによって利用されるリソースが位置するリソースプールが、基地局がリソースをスケジューリングするモードの端末デバイスが利用可能なリソースプールであること、又は、第１の端末デバイスによって利用されるリソースが位置するリソースプールが、センシングに基づいてリソースを選択するモードの端末デバイスが利用可能なリソースプールであることを示してよい。
【００８１】
Ｓ２０２：第１の端末デバイスは、第１のリソースを決定する。
【００８２】
第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む。
【００８３】
任意選択的に、本願の本実施形態において、データを伝送するために予約されるリソースは、リソース予約間隔と、第２のデバイスによってデータを伝送するために利用されるリソースとに基づいて決定される。データを伝送するために予約されるリソースと、第２のデバイスによってデータを伝送するために利用されるリソースとは、時間領域におけるリソース予約間隔によって分離され、データを伝送するために予約されるリソースと、第２のデバイスによってデータを伝送するために利用されるリソースとは、周波数領域において同じである、又は、周波数領域において、データを伝送するために予約されるリソースは、周波数ホッピングパターン及び第２のデバイスによってデータを伝送するために利用されるリソースに基づいて決定される。
【００８４】
第１の端末デバイスは、第２の端末デバイスによって送信された第１の情報を受信してよく、第１の情報は、第２の端末デバイスによってデータを伝送するために利用されるリソースを示すために利用され、これにより、第１の端末デバイスは、第２の端末デバイスによってデータを伝送するために利用されるリソースに基づいて、第１のリソースを決定できることに留意されたい。
【００８５】
例えば、第１の情報は、制御情報であってよい。３ＧＰＰで定義されるＤ２Ｄ通信又はＶ２Ｘ通信において、第１の情報はＳＣＩであってよい。
【００８６】
本願の本実施形態において、第２の端末デバイスによって送信されたＳＣＩを受信した後で、第１の端末デバイスは、第２の端末デバイスによってデータを伝送するために利用され、かつ、ＳＣＩによって示されるリソースに基づいて、第１のリソースを決定してよい。
【００８７】
第１のリソースが、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む場合、第１の端末デバイスは、第２の情報及び第２の端末デバイスによってデータを伝送するために利用されるリソースに基づいて、第１のリソースを決定してよい。第２の情報は、リソース予約間隔を示すために利用され、リソース予約間隔は、リソース予約期間とも称されてよい、又は、第２の情報は、第１の端末デバイス又は第２の端末デバイスが利用可能なリソース予約期間のセットを示すために利用される、又は、第２の情報は、第１のパラメータの値範囲を示すために利用され、第１のパラメータは、第１の端末デバイス又は第２の端末デバイスが利用可能なリソース予約期間のセットを示すために利用される。言い換えれば、第１の端末デバイスが第２の情報及び第２の端末デバイスによってデータを伝送するために利用されるリソースに基づいて第１のリソースを決定する場合、少なくとも以下の３つの可能な実装があってよい。
【００８８】
可能な実装において、第２の情報は、リソース予約間隔を示すために利用され、第１の端末デバイスは、リソース予約間隔及び第２の端末デバイスによってデータを伝送するために利用されるリソースに基づいて、第１のリソースを決定してよい。任意選択的に、第１の情報は、第２の情報を含んでよい。例えば、以下の３つの方式があってよい。
【００８９】
方式１：第１のリソースは、リソース２及び第２の端末デバイスによってデータを伝送するために利用される（リソース１によって表される）リソースを含んでよい。リソース２及びリソース１は、時間領域においてＭだけ分離され、Ｍは、第２の情報に基づいて決定される値である。例えば、Ｍは、第２の情報によって示される値を係数Ｐによって乗算することによって取得されてよい。ここで、Ｐは、０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために予約されるリソースである。
【００９０】
例えば、第２の情報によって示される値は、Ｉ１であってよい。この場合、ＭはＩ１×Ｐに等しい。図３は、本願の実施形態に係る第１のリソースの概略図である。サブフレームｍのリソースは、第２の端末デバイスによってデータを伝送するために利用されるリソース（リソース１）であり、リソース２は、サブフレームｍ＋Ｍ１にあり、かつ、リソース１と同じ周波数を有するリソースである。この場合、リソース１及びリソース２は、第１のリソースである。
【００９１】
本願の本実施形態において、サブフレームが時間領域においてリソース単位として利用されることは、例として利用されているに過ぎないことに留意されたい。他の単位があってよく、例えば、スロット、ミニスロット、及び直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルのいずれか１つがあってよく、又は、他の時間単位があってよい。これは、本発明の本実施形態において限定されない。
【００９２】
方式２：第１のリソースは、リソース２及び第２の端末デバイスによってデータを伝送するために利用される（リソース１によって表される）リソースを含んでよい。リソース２及びリソース１は、時間領域においてＭ×ｊだけ分離され、ｊ＝１，２，３，...である。ここで、Ｍは、第２の情報に基づいて決定される値である。例えば、Ｍは、第２の情報によって示される値を係数Ｐによって乗算することによって取得されてよい。ここで、Ｐは、０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために予約されるリソース、及び第２の端末デバイスによってデータを伝送するために予約されるリソースに基づいて決定されるリソースを含む。
【００９３】
方式３：ネットワークデバイスは、端末デバイスがリソースを予約する最大回数を構成してよく、第１の端末デバイスは、第２の端末デバイスによってデータを伝送するために利用されるリソース、第２の情報、及び端末デバイスがリソースを予約する最大回数に基づいて、第１のリソースを決定する。具体的には、第１のリソースは、リソース２及び第２の端末デバイスによってデータを伝送するために利用される（リソース１によって表される）リソースを含んでよい。リソース２及びリソース１は、時間領域においてＭ×ｊだけ分離され、ｊ＝ｊ＝１，２，３，...，及びＬである。ここで、Ｌは、端末デバイスがリソースを予約する最大回数であり、Ｍは、第２の情報に基づいて決定される値である。例えば、Ｍは、第２の情報によって示される値を係数Ｐによって乗算することによって取得されてよい。ここで、Ｐは、０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために予約されるリソース、及び第２の端末デバイスによってデータを伝送するために予約されるリソースに基づいて決定されるリソースを含む。
【００９４】
他の可能な実装において、第２の情報は、第１の端末デバイス又は第２の端末デバイスが利用可能なリソース予約期間のセットを示すために利用され、第１の端末デバイスは、第２の端末デバイスによってデータを伝送するために利用されるリソース、及び第１の端末デバイス又は第２の端末デバイスが利用可能なリソース予約期間のセットに基づいて、第１のリソースを決定してよい。
【００９５】
この可能な実装において、第１の端末デバイス又は第２の端末デバイスが利用可能なリソース予約期間のセットは、ネットワークデバイスによって構成されてよい。この場合、第２の情報は、ネットワークデバイスによって送信されてよい。あるいは、第１の端末デバイス又は第２の端末デバイスが利用可能なリソース予約期間のセットは、予め構成されてよい。第２の情報は、具体的には、リソース予約期間を限定するためのパラメータであってよい。例えば、以下の３つの方式があってよい。
【００９６】
方式１：第１のリソースは、リソース２及び第２の端末デバイスによってデータを伝送するために利用される（リソース１によって表される）リソースを含んでよい。リソース２及びリソース１は、時間領域においてＭだけ分離される。ここで、Ｍは、第２の情報に基づいて決定される値のセットである。例えば、Ｍは、第２の情報によって示される各値を係数Ｐによって乗算することによって取得される値のセットであってよく、Ｐは、０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために利用されるリソースに基づいて決定されるリソースである。
【００９７】
例えば、第２の情報によって示される値は、Ｉ１及びＩ２を含む。従って、セットＭは、Ｉ１×Ｐ＝Ｍ１及びＩ２×Ｐ＝Ｍ２を含む。図４は、本願の実施形態に係る他の第１のリソースの概略図である。サブフレームｍのリソースは、第２の端末デバイスによってデータを伝送するために利用されるリソース（リソース１）であり、リソース２は、サブフレームｍ＋Ｍ１及びサブフレームｍ＋Ｍ２にあり、かつ、リソース１と同じ周波数を有するリソースである。
【００９８】
方式２：第１のリソースは、リソース２及び第２の端末デバイスによってデータを伝送するために利用される（リソース１によって表される）リソースを含んでよい。リソース２及びリソース１は、時間領域においてＭ×ｊだけ分離され、ｊ＝１，２，３，...である。ここで、Ｍは、第２の情報に基づいて決定される値のセットである。例えば、Ｍは、第２の情報によって示される各値を係数Ｐによって乗算することによって取得される値のセットであってよく、Ｐは、０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために利用されるリソースに基づいて決定されるリソースである。
【００９９】
方式３：ネットワークデバイスは、端末デバイスがリソースを予約する最大回数を構成してよく、第１の端末デバイスは、第２の端末デバイスによってデータを伝送するために利用されるリソース、第２の情報、及び端末デバイスがリソースを予約する最大回数に基づいて、第１のリソースを決定する。具体的には、第１のリソースは、リソース２及び第２の端末デバイスによってデータを伝送するために利用される（リソース１によって表される）リソースを含んでよい。リソース２及びリソース１は、時間領域においてＭ×ｊだけ分離され、ｊ＝ｊ＝１，２，３，...，及びＬである。ここで、Ｌは、端末デバイスがリソースを予約する最大回数であり、Ｍは、第２の情報に基づいて決定される値のセットである。例えば、Ｍは、第２の情報によって示される各値を係数Ｐによって乗算することによって取得される値のセットであってよく、Ｐは、０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために利用されるリソースに基づいて決定されるリソースである。
【０１００】
他の可能な実装において、第２の情報は、第１のパラメータの値範囲を示し、第１の端末デバイスは、第２の端末デバイスによってデータを伝送するために利用されるリソース、及び第１のパラメータの値範囲に基づいて、第１のリソースを決定してよい。
【０１０１】
第１のパラメータは、第１のパラメータの値範囲における値の１つ又は複数を含んでよい。第１のパラメータは、第１の端末デバイス又は第２の端末デバイスが利用可能なリソース予約期間のセットを示すために利用される。端末デバイスは、制御情報において、端末デバイスによって利用されるリソース予約期間を示してよい。第１のパラメータは、ネットワークデバイスによって構成されてよく、又は予め構成されてよい。第１のパラメータは、リソース予約期間を限定するためのパラメータであってよい。例えば、以下の３つの方式があってよい。
【０１０２】
方式１：第１のリソースは、リソース２及び第２の端末デバイスによってデータを伝送するために利用される（リソース１によって表される）リソースを含んでよい。リソース２及びリソース１は、時間領域においてＭだけ分離される。ここで、Ｍは、第１のパラメータの値範囲に基づいて決定される値のセットである。例えば、Ｍは、第１のパラメータの値範囲における各値を係数Ｐによって乗算することによって取得される値のセットであってよく、Ｐは０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために利用されるリソースに基づいて決定されるリソースである。
【０１０３】
例えば、第１のパラメータの値範囲は、Ｉ１、Ｉ２、及びＩ３を含む。従って、セットＭは、Ｉ１×Ｐ＝Ｍ１、Ｉ２×Ｐ＝Ｍ２、及びＩ３×Ｐ＝Ｍ３を含む。図５は、本願の実施形態に係るさらに他の第１のリソースの概略図である。サブフレームｍのリソースは、第２の端末デバイスによってデータを伝送するために利用されるリソース（リソース１）であり、リソース２は、サブフレームｍ＋Ｍ１、サブフレームｍ＋Ｍ２、及びサブフレームｍ＋Ｍ３にあり、かつ、リソース１と同じ周波数を有するリソースである。
【０１０４】
方式２：第１のリソースは、リソース２及び第２の端末デバイスによってデータを伝送するために利用される（リソース１によって表される）リソースを含んでよい。リソース２及びリソース１は、時間領域においてＭ×ｊだけ分離され、ｊ＝１，２，３，...である。ここで、Ｍは、第１のパラメータの値範囲に基づいて決定される値のセットである。例えば、Ｍは、第１のパラメータの値範囲における各値を係数Ｐによって乗算することによって取得される値のセットであってよく、Ｐは０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために利用されるリソースに基づいて決定されるリソースである。
【０１０５】
方式３：ネットワークデバイスは、端末デバイスがリソースを予約する最大回数を構成してよく、第１の端末デバイスは、第２の端末デバイスによってデータを伝送するために利用されるリソース、第１のパラメータの値範囲、及び端末デバイスがリソースを予約する最大回数に基づいて、第１のリソースを決定する。具体的には、第１のリソースは、リソース２及び第２の端末デバイスによってデータを伝送するために利用される（リソース１によって表される）リソースを含んでよい。リソース２及びリソース１は、時間領域においてＭ×ｊだけ分離され、ｊ＝ｊ＝１，２，３，...，及びＬである。ここで、Ｌは、端末デバイスがリソースを予約する最大回数であり、Ｍは、第１のパラメータの値範囲に基づいて決定される値のセットである。例えば、Ｍは、第１のパラメータの値範囲における各値を係数Ｐによって乗算することによって取得される値のセットであってよく、Ｐは０ではない。リソース２は、周波数においてリソース１と同じであってよい、又は、リソース２及びリソース１は、周波数において特定の周波数ホッピングパターンを有する。リソース２は、第２の端末デバイスによってデータを伝送するために利用されるリソースに基づいて決定されるリソースである。
【０１０６】
Ｓ２０１及びＳ２０２の間に順序はないことに留意されたい。Ｓ２０１はＳ２０２の前に実行されてよい、又は、Ｓ２０２はＳ２０１の前に実行されてよい。勿論、あるいは、Ｓ２０１及びＳ２０２は、同時に実行されてよい。本願の本実施形態において、Ｓ２０１がＳ２０２の前に実行されることは、説明のための例として利用されているに過ぎない。しかしながら、これは、本願の本実施形態がこれに限定されることを示すものではない。
【０１０７】
Ｓ２０３：第１のリソース及び第２のリソースが重複する場合に、第１の端末デバイスは第２のリソースを利用しない、又は第１の端末デバイスはリソースを再選択する。
【０１０８】
第２のリソースは、第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、第１の端末デバイスによってデータを伝送するために利用されるべき候補リソースに基づいて決定されるリソースの１つ又は複数を含む。具体的には、第１の端末デバイスがリソースを選択した場合、第２のリソースは、第１の端末デバイスによってデータを伝送するために選択されるリソース、及び／又は第１の端末デバイスによってデータを伝送するために選択されるリソースに基づいて決定されるリソースであってよい。第１の端末デバイスがリソースを選択しようとする、又は選択している場合、第２のリソースは、データを伝送するために利用されるべき候補リソース、及び／又は第１の端末デバイスによってデータを伝送するために利用されるべき候補リソースに基づいて決定されるリソースであってよい。
【０１０９】
本明細書における重複は、部分的な重複であってよく、又は全体的に重複することであってよいことに留意されたい。第１のリソース及び第２のリソースが重複することは、第１のリソース及び第２のリソースが時間領域において重複することであってよく、又は、第１のリソース及び第２のリソースが周波数領域において重複することであってよく、又は勿論、第１のリソース及び第２のリソースが時間領域及び周波数領域の両方において重複することであってよい。
【０１１０】
第１の端末デバイスが第２のリソースを利用しないことは、第１の端末デバイスが第２のリソース上で実行されるデータ伝送を破棄すること、又は第１の端末デバイスがデータ伝送のために第２のリソースを選択しないこととして理解されてよいことに留意されたい。具体的には、第１の端末デバイスが第２のリソースを選択した場合、第１の端末デバイスが第２のリソースを利用しないことは、第１の端末デバイスが第２のリソース上で実行されるデータ伝送を破棄することとして理解されてよい。第１の端末デバイスがリソースを選択しようとする、又は選択している場合、第１の端末デバイスが第２のリソースを利用しないことは、第１の端末デバイスがデータ伝送のために第２のリソースを選択しないこととして理解されてよい。
【０１１１】
第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、及び第１の端末デバイスによってデータを伝送するために利用されるべき候補リソースに基づいて決定されるリソースのいずれか１つは、１つ又は複数のリソースを含んでよいことに留意されたい。任意選択的に、第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、及び第１の端末デバイスによってデータを伝送するために利用されるべき候補リソースに基づいて決定されるリソースのいずれか１つは、周期的サブフレームのグループにあり、かつ、周波数領域において同じリソースであってよい。あるいは、第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、及び第１の端末デバイスによってデータを伝送するために利用されるべき候補リソースに基づいて決定されるリソースのいずれか１つは、周期的サブフレームのグループにあり、かつ、周波数領域において特定の周波数ホッピングパターンを有するリソースであってよい。
【０１１２】
第１の端末デバイスによってデータを伝送するために選択されるリソースに基づいて決定されるリソースは、第１の端末デバイスのリソース予約間隔及び第１の端末デバイスによってデータを伝送するために選択されるリソースに基づいて決定されてよい。第１の端末デバイスによってデータを伝送するために利用されるべき候補リソースに基づいて決定されるリソースは、第１の端末デバイスのリソース予約間隔及び第１の端末デバイスによってデータを伝送するために利用されるべき候補リソースに基づいて決定されてよい。
【０１１３】
可能な実装において、第１の端末デバイスによってデータを伝送するために選択されるリソースに基づいて決定される（リソース２によって表される）リソース及び第１の端末デバイスによってデータを伝送するために選択される（リソース１によって表される）リソースは、時間領域においてＭ'×ｊだけ分離され、ｊ＝１，２，３，...，及びＣである。ここで、Ｃは、第１の端末デバイスによって予約されるリソースの数であり、Ｍ'は、第１の端末デバイスのリソース予約間隔である。リソース２は、周波数においてリソース１と同じであってよい、又は、リソース２及びリソース１は、周波数において特定の周波数ホッピングパターンを有する。図６は、本願の実施形態に係る第１の端末デバイスによってデータを伝送するために選択されるリソースに基づいて決定されるリソースの概略図である。サブフレームｎの１つのリソースは、第１の端末デバイスによってデータを伝送するために選択されるリソース（リソース１）であり、リソース２は、サブフレームｎ＋Ｍ'×ｊにあり、かつ、リソース１と同じ周波数を有するリソースであり、ｊ＝１，２，３，...，及びＣである。
【０１１４】
可能な実装において、第１の端末デバイスによってデータを伝送するために利用されるべき候補リソースに基づいて決定される（リソース２によって表される）リソース及び第１の端末デバイスによってデータを伝送するために利用されるべき（リソース１によって表される）候補リソースは、時間領域においてＭ'×ｊだけ分離され、ｊ＝１，２，３，...，及びＣである。ここで、Ｃは、第１の端末デバイスによって予約されるリソースの数であり、Ｍ'は、第１の端末デバイスのリソース予約間隔である。リソース２は、周波数においてリソース１と同じであってよい、又は、リソース２及びリソース１は、周波数において特定の周波数ホッピングパターンを有する。図６を参照すると、サブフレームｎの１つのリソースは、第１の端末デバイスによってデータを伝送するために利用されるべき候補リソース（リソース１）であり、リソース２は、サブフレームｎ＋Ｍ'×ｊにあり、かつ、リソース１と同じ周波数を有するリソースであり、ｊ＝１，２，３，...，及びＣである。
【０１１５】
第２のリソースをより明確に説明するために、例えば、図７は、本願の実施形態に係るリソース重複の概略図である。第１の端末デバイスによって決定される第１のリソースがリソース１、リソース２、及びリソース３であり、第１の端末デバイスによってデータを伝送するために利用されるべき候補リソースがリソース２であり、第１の端末デバイスによってデータを伝送するために利用されるべき候補リソースに基づいて決定されるリソースがリソース３及びリソース４であると仮定する。従って、重複するリソースは、リソース２及びリソース３である。言い換えれば、第２のリソースは、リソース２及びリソース３である。
【０１１６】
本願の実施形態は、リソース選択方法及び端末デバイスを提供する。  方法は、第１の端末デバイスによって第１のリソースを決定する段階であって、第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む、段階と、第１のリソース及び第２のリソースが重複する場合に、第１の端末デバイスによって第２のリソースを利用することをスキップする、又は第１の端末デバイスによってリソースを再選択する段階であって、第２のリソースは、第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、及び第１の端末デバイスによってデータを伝送するために利用されるべき候補リソースに基づいて決定されるリソースの１つ又は複数を含む、段階とを含む。第１の端末デバイスがリソースを選択した、又はリソースを選択している場合に、第１の端末デバイスが、第２の端末デバイスに対応する第１のリソースを最初に決定し、第１のリソースと、第１の端末デバイスによって選択されるリソース又は第１の端末デバイスの候補リソースとが重複するか否かを決定することが認識されよう。第１のリソースが第１の端末デバイスによって選択されるリソース又は第１の端末デバイスの候補リソースと重複する場合、第１の端末デバイスは重複した第２のリソースを利用しない、又は第１の端末デバイスはリソースを再選択する。このように、リソースプールにおけるリソースが共有リソースである場合に端末デバイス間でリソース競合が生じるという問題が解決される。
【０１１７】
任意選択的に、Ｓ２０３において、第１のリソース及び第２のリソースが重複する場合に、第１の端末デバイスが第２のリソースを利用しない、又は第１の端末デバイスがリソースを再選択することは、
第１のリソース及び第２のリソースが重複し、かつ、予め設定された条件が満たされる場合に、第１の端末デバイスによって第２のリソースを利用することをスキップする、又は第１の端末デバイスによってリソースを再選択すること
を含んでよく、予め設定された条件は、
第１の端末デバイスが第２の端末デバイスによって送信された信号を受信するときの受信電力、第１の端末デバイスの伝送データの優先度及び／又は第２の端末デバイスの伝送データの優先度、第１の端末デバイスの伝送データのタイプ及び／又は第２の端末デバイスの伝送データのタイプ、第１の端末デバイスがデータを伝送する回数及び／又は第２の端末デバイスがデータを伝送する回数、及び第２のリソースの数
の１つ又は複数を含む。
【０１１８】
以下、第２のリソースを利用することなく、又はリソースを再選択することなく、第１の端末デバイスが予め設定された条件に基づいてどのように決定するかを詳細に説明する。
【０１１９】
第１の可能な実装において、予め設定された条件が、第１の端末デバイスが第２の端末デバイスによって送信された信号を受信するときの受信電力である場合、第１の端末デバイスによって第２のリソースを利用することをスキップする、又は第１の端末デバイスによってリソースを再選択する段階は、第１のリソース及び第２のリソースが重複し、かつ、第１の端末デバイスが第２の端末デバイスによって送信された信号を受信するときの受信電力が第１の閾値より大きい又はこれと等しい場合に、第１の端末デバイスによって第２のリソースを利用することをスキップする、又は第１の端末デバイスによってリソースを再選択する段階を含んでよい。
【０１２０】
第１の閾値は、実際の要件に基づいて設定されてよい。ここで、第１の閾値の設定は、本願の本実施形態において、さらに限定されない。第２の端末デバイスによって送信された信号は、第２の端末デバイスによって送信された基準信号であってよい。さらに、第２の端末デバイスによって送信された信号は、第２の端末デバイスによって送信され、かつ、データを伝送するために利用されるチャネルにおける基準信号であってよい。
【０１２１】
第１の可能な実装において、第１の端末デバイスが第２の端末デバイスによって送信された信号を受信するときの受信電力が第１の閾値より大きい又はこれと等しい場合、これは、第１の端末デバイスが第２の端末デバイスに相対的に近いことを示す。２つの端末デバイスが第２のリソース上で同時にデータを伝送する場合、第１の端末デバイスの信号を受信する端末デバイスの受信性能及び第２の端末デバイスの信号を受信する端末デバイスの受信性能は、低下する場合がある。従って、第１の端末デバイスは第２のリソースを利用しなくてよい、又は第１の端末デバイスはリソースを再選択してよい。
【０１２２】
第２の可能な実装において、より高い優先度を有するデータが優先的に伝送される場合、又は、より低い優先度を有するデータが優先的に伝送される場合の、２つの場合があってよい。より高い優先度を有するデータが優先的に伝送される場合、予め設定された条件が、第１の端末デバイスの伝送データの優先度及び／又は第２の端末デバイスの伝送データの優先度である場合に、第１の端末デバイスによって第２のリソースを利用することをスキップする、又は第１の端末デバイスによってリソースを再選択する段階は、
第１のリソース及び第２のリソースが重複し、かつ、第１の端末デバイスの伝送データの優先度が第２の閾値より小さい又はこれと等しい場合に、第１の端末デバイスによって第２のリソースを利用することをスキップする段階、又は、
第１のリソース及び第２のリソースが重複し、かつ、第２の端末デバイスの伝送データの優先度が第３の閾値より大きい又はこれと等しい場合に、第１の端末デバイスによって第２のリソースを利用することをスキップする段階、又は、
第１のリソース及び第２のリソースが重複し、第１の端末デバイスの伝送データの優先度が第２の閾値より小さい又はこれと等しく、かつ、第２の端末デバイスの伝送データの優先度が第３の閾値より大きい又はこれと等しい場合に、第１の端末デバイスによって第２のリソースを利用することをスキップする段階、又は、
第１のリソース及び第２のリソースが重複し、かつ、第１の端末デバイスの伝送データの優先度が第４の閾値より大きい場合に、第１の端末デバイスによってリソースを再選択する段階、又は、
第１のリソース及び第２のリソースが重複し、かつ、第２の端末デバイスの伝送データの優先度が第５の閾値より大きい又はこれと等しい場合に、第１の端末デバイスによってリソースを再選択する段階、又は、
第１のリソース及び第２のリソースが重複し、第１の端末デバイスの伝送データの優先度が第４の閾値より大きく、かつ、第２の端末デバイスの伝送データの優先度が第５の閾値より大きい又はこれと等しい場合に、第１の端末デバイスによってリソースを再選択する段階
を含んでよい。
【０１２３】
より低い優先度を有するデータが優先的に伝送される場合、予め設定された条件が、第１の端末デバイスの伝送データの優先度及び／又は第２の端末デバイスの伝送データの優先度である場合に、第１の端末デバイスによって第２のリソースを利用することをスキップする、又は第１の端末デバイスによってリソースを再選択する段階は、
第１のリソース及び第２のリソースが重複し、かつ、第１の端末デバイスの伝送データの優先度が第２の閾値より大きい又はこれと等しい場合に、第１の端末デバイスによって第２のリソースを利用することをスキップする段階、又は、
第１のリソース及び第２のリソースが重複し、かつ、第２の端末デバイスの伝送データの優先度が第３の閾値より小さい又はこれと等しい場合に、第１の端末デバイスによって第２のリソースを利用することをスキップする段階、又は、
第１のリソース及び第２のリソースが重複し、第１の端末デバイスの伝送データの優先度が第２の閾値より大きい又はこれと等しく、かつ、第２の端末デバイスの伝送データの優先度が第３の閾値より小さい又はこれと等しい場合に、第１の端末デバイスによって第２のリソースを利用することをスキップする段階、又は、
第１のリソース及び第２のリソースが重複し、かつ、第１の端末デバイスの伝送データの優先度が第４の閾値より小さい場合に、第１の端末デバイスによってリソースを再選択する段階、又は、
第１のリソース及び第２のリソースが重複し、かつ、第２の端末デバイスの伝送データの優先度が第５の閾値より小さい又はこれと等しい場合に、第１の端末デバイスによってリソースを再選択する段階、又は、
第１のリソース及び第２のリソースが重複し、第１の端末デバイスの伝送データの優先度が第４の閾値より小さく、かつ、第２の端末デバイスの伝送データの優先度が第５の閾値より小さい又はこれと等しい場合に、第１の端末デバイスによってリソースを再選択する段階
を含んでよい。
【０１２４】
より高い優先度を有するデータが優先的に伝送される場合、伝送データの優先度に基づいて、第１の端末デバイスが第２のリソースを利用しないと決定する段階が、以下、詳細に説明される。第１の端末デバイスの伝送データの優先度が第２の閾値より小さい又はこれと等しい場合、これは、第１の端末デバイスの伝送データが相対的に低い優先度を有することを示すが、この場合、相対的に高い優先度を有するデータが優先的に伝送されるので、第１の端末デバイスは第２のリソースを利用しない。あるいは、第１の端末デバイスは、第２の端末デバイスの伝送データの優先度を決定してよい。第２の端末デバイスの伝送データの優先度が第３の閾値より大きい又はこれと等しい場合、これは、第２の端末デバイスの伝送データが高い優先度を有することを示し、この場合も、第１の端末デバイスは第２のリソースを利用しない。あるいは、第１の端末デバイスの伝送データの優先度が第２の閾値より小さい又はこれと等しく、かつ、第２の端末デバイスの伝送データの優先度が第３の閾値より大きい又はこれと等しい場合、これは、第１の端末デバイスの伝送データが相対的に低い優先度を有すること、及び第２の端末デバイスの伝送データが高い優先度を有することを示し、この場合、相対的に高い優先度を有するデータが優先的に伝送されるので、第１の端末デバイスは第２のリソースを利用しない。
【０１２５】
これに反して、より低い優先度を有するデータが優先的に伝送される場合、詳細な説明が以下提供される。第１の端末デバイスの伝送データの優先度が第２の閾値より大きい又はこれと等しい場合、これは、第１の端末デバイスの伝送データが相対的に高い優先度を有することを示すが、この場合、相対的に低い優先度を有するデータが優先的に伝送されるので、第１の端末デバイスは第２のリソースを利用しない。あるいは、第１の端末デバイスは、第２の端末デバイスの伝送データの優先度を決定してよい。第２の端末デバイスの伝送データの優先度が第３の閾値より小さい又はこれと等しい場合、これは、第２の端末デバイスの伝送データが低い優先度を有することを示し、この場合も、第１の端末デバイスは第２のリソースを利用しない。あるいは、第１の端末デバイスの伝送データの優先度が第２の閾値より大きい又はこれと等しく、かつ、第２の端末デバイスの伝送データの優先度が第３の閾値より小さい又はこれと等しい場合、これは、第１の端末デバイスの伝送データが相対的に高い優先度を有すること、及び第２の端末デバイスの伝送データが低い優先度を有することを示し、この場合、相対的に低い優先度を有するデータが優先的に伝送されるので、第１の端末デバイスは第２のリソースを利用しない。
【０１２６】
第２の閾値及び第３の閾値は、実際の要件に基づいて設定されてよい。ここで、第２の閾値及び第３の閾値の設定は、本願の本実施形態において、さらに限定されない。任意選択的に、第２の閾値は、第３の閾値に等しくてよい。
【０１２７】
より高い優先度を有するデータが優先的に伝送される場合、伝送データの優先度に基づいてリソースを再選択する段階が、以下、詳細に説明される。第１の端末デバイスの伝送データの優先度が第４の閾値より大きい場合、これは、第１の端末デバイスが相対的に高い優先度を有することを示し、この場合、第１の端末デバイスは、リソースを再選択し、再選択されたリソース上でデータを伝送してよい。あるいは、第１の端末デバイスは、第２の端末デバイスの伝送データの優先度を決定してよい。第２の端末デバイスの伝送データの優先度が第５の閾値より大きい又はこれと等しい場合、これは、第２の端末デバイスの伝送データが相対的に高い優先度を有することを示し、この場合、第１の端末デバイスは、リソースを再選択し、再選択されたリソース上でデータを伝送してよい。あるいは、第１の端末デバイスが、第１の端末デバイスの伝送データの優先度が第４の閾値より大きく、かつ、第２の端末デバイスの伝送データの優先度が第５の閾値より大きい又はこれと等しいと決定した場合、これは、第１の端末デバイスの伝送データが相対的に高い優先度を有すること、及び第２の端末デバイスの伝送データが相対的に高い優先度を有することを示し、この場合、相互の影響を避けるべく、第１の端末デバイスは、リソースを再選択し、再選択されたリソース上でデータを伝送してよい。
【０１２８】
これに反して、より低い優先度を有するデータが優先的に伝送される場合、詳細な説明が以下提供される。第１の端末デバイスの伝送データの優先度が第４の閾値より小さい場合、これは、第１の端末デバイスが相対的に低い優先度を有することを示し、この場合、第１の端末デバイスは、リソースを再選択し、再選択されたリソース上でデータを伝送してよい。あるいは、第１の端末デバイスは、第２の端末デバイスの伝送データの優先度を決定してよい。第２の端末デバイスの伝送データの優先度が第５の閾値より小さい又はこれと等しい場合、これは、第２の端末デバイスの伝送データが相対的に低い優先度を有することを示し、この場合、第１の端末デバイスは、リソースを再選択し、再選択されたリソース上でデータを伝送してよい。あるいは、第１の端末デバイスが、第１の端末デバイスの伝送データの優先度が第４の閾値より小さく、かつ、第２の端末デバイスの伝送データの優先度が第５の閾値より小さい又はこれと等しいと決定した場合、これは、第１の端末デバイスの伝送データが相対的に低い優先度を有すること、及び第２の端末デバイスの伝送データが相対的に低い優先度を有することを示し、この場合、相互の影響を避けるべく、第１の端末デバイスは、リソースを再選択し、再選択されたリソース上でデータを伝送してよい。
【０１２９】
第４の閾値及び第５の閾値は、実際の要件に基づいて設定されてよい。ここで、第４の閾値及び第５の閾値の設定は、本願の本実施形態において、さらに限定されない。任意選択的に、第４の閾値は、第５の閾値に等しくてよい。本願の本実施形態において、第４の閾値は第２の閾値に等しくてよく、第５の閾値は第３の閾値に等しくてよいことに留意されたい。
【０１３０】
第３の可能な実装において、より高い優先度を有するデータが優先的に伝送される場合、又は、より低い優先度を有するデータが優先的に伝送される場合の、２つの場合があってよい。
【０１３１】
より高い優先度を有するデータが優先的に伝送される場合、予め設定された条件が、第１の端末デバイスの伝送データの優先度又は第２の端末デバイスの伝送データの優先度である場合に、第１の端末デバイスによって第２のリソースを利用することをスキップする、又は第１の端末デバイスによってリソースを再選択する段階は、第１のリソース及び第２のリソースが重複し、かつ、第１の端末デバイスの伝送データの優先度と第２の端末デバイスの伝送データの優先度との間の差が第６の閾値より小さい又はこれと等しい場合に、第１の端末デバイスによって第２のリソースを利用することをスキップする、又は第１の端末デバイスによってリソースを再選択する段階をさらに含んでよい。
【０１３２】
第６の閾値は、実際の要件に基づいて設定されてよい。ここで、第６の閾値の設定は、本願の本実施形態において、さらに限定されない。
【０１３３】
第３の可能な実装において、第１の端末デバイスは、第１の端末デバイスの伝送データの優先度及び第２の端末デバイスの伝送データの優先度を最初に決定し、第１の端末デバイスの伝送データの優先度と第２の端末デバイスの伝送データの優先度との間の差を決定し、その差に基づいて、第１の端末デバイスが第２のリソースを利用するか、又はリソースを再選択するかを決定してよい。具体的には、第１の端末デバイスの伝送データの優先度と第２の端末デバイスの伝送データの優先度との間の差が第６の閾値より小さい又はこれと等しい場合に、第１の端末デバイスは第２のリソースを利用しない、又は第１の端末デバイスはリソースを再選択する。
【０１３４】
より低い優先度を有するデータが優先的に伝送される場合、予め設定された条件が、第１の端末デバイスの伝送データの優先度又は第２の端末デバイスの伝送データの優先度である場合に、第１の端末デバイスによって第２のリソースを利用することをスキップする、又は第１の端末デバイスによってリソースを再選択する段階は、以下の段階をさらに含んでよい。
【０１３５】
第１のリソース及び第２のリソースが重複し、かつ、第１の端末デバイスの伝送データの優先度と第２の端末デバイスの伝送データの優先度との間の差が第６の閾値よより大きい又はこれと等しい場合に、第１の端末デバイスは第２のリソースを利用しない、又は第１の端末デバイスはリソースを再選択する段階。
【０１３６】
第６の閾値は、実際の要件に基づいて設定されてよい。ここで、第６の閾値の設定は、本願の本実施形態において、さらに限定されない。
【０１３７】
第３の可能な実装において、第１の端末デバイスは、第１の端末デバイスの伝送データの優先度及び第２の端末デバイスの伝送データの優先度を最初に決定し、第１の端末デバイスの伝送データの優先度と第２の端末デバイスの伝送データの優先度との間の差を決定し、その差に基づいて、第１の端末デバイスが第２のリソースを利用するか、又はリソースを再選択するかを決定してよい。具体的には、第１の端末デバイスの伝送データの優先度と第２の端末デバイスの伝送データの優先度との間の差が第６の閾値より大きい又はこれと等しい場合、第１の端末デバイスは第２のリソースを利用しない、又は第１の端末デバイスはリソースを再選択する。
【０１３８】
第４の可能な実装において、予め設定された条件が第１の端末デバイスの伝送データのタイプ及び／又は第２の端末デバイスの伝送データのタイプである場合、第１の端末デバイスによって第２のリソースを利用することをスキップする、又は第１の端末デバイスによってリソースを再選択する段階は、
第１のリソース及び第２のリソースが重複し、かつ、第１の端末デバイスの伝送データが非セキュリティ関連データである場合に、第１の端末デバイスによって第２のリソースを利用することをスキップする段階、又は、
第１のリソース及び第２のリソースが重複し、かつ、第２の端末デバイスの伝送データがセキュリティ関連データである場合に、第１の端末デバイスによって第２のリソースを利用することをスキップする段階、又は、
第１のリソース及び第２のリソースが重複し、第１の端末デバイスの伝送データが非セキュリティ関連データであり、かつ、第２の端末デバイスの伝送データがセキュリティ関連データである場合に、第１の端末デバイスによって第２のリソースを利用することをスキップする段階、又は、
第１のリソース及び第２のリソースが重複し、かつ、第１の端末デバイスの伝送データがセキュリティ関連データである場合に、第１の端末デバイスによってリソースを再選択する段階、又は、
第１のリソース及び第２のリソースが重複し、かつ、第２の端末デバイスの伝送データがセキュリティ関連データである場合に、第１の端末デバイスによってリソースを再選択する段階、又は、
第１のリソース及び第２のリソースが重複し、第１の端末デバイスの伝送データがセキュリティ関連データであり、かつ、第２の端末デバイスの伝送データがセキュリティ関連データである場合に、第１の端末デバイスによってリソースを再選択する段階
を含んでよい。
【０１３９】
第４の可能な実装において、第１の端末デバイスの伝送データが非セキュリティ関連データである場合、第１の端末デバイスは第２のリソースを利用しない、又は、第２の端末デバイスの伝送データがセキュリティ関連データである場合も、第１の端末デバイスは第２のリソースを利用しない、又は、第１の端末デバイスの伝送データが非セキュリティ関連データであり、かつ、第２の端末デバイスの伝送データがセキュリティ関連データである場合も、第１の端末デバイスは第２のリソースを利用しない。
【０１４０】
第１の端末デバイスの伝送データがセキュリティ関連データである場合、第１の端末デバイスはリソースを再選択する、又は、第２の端末デバイスの伝送データがセキュリティ関連データである場合、第１の端末デバイスはリソースを再選択する、又は、第１の端末デバイスの伝送データがセキュリティ関連データであり、かつ、第２の端末デバイスの伝送データがセキュリティ関連データである場合、第１の端末デバイスはリソースを再選択する。
【０１４１】
第５の可能な実装において、予め設定された条件は、第１の端末デバイスがデータを伝送する回数及び／又は第２の端末デバイスがデータを伝送する回数を含み、第１の端末デバイスによって第２のリソースを利用することをスキップする、又は第１の端末デバイスによってリソースを再選択する段階は、
第１のリソース及び第２のリソースが重複し、かつ、第１の端末デバイスの伝送データが再伝送データである場合に、第１の端末デバイスによって第２のリソースを利用することをスキップする段階、又は、
第１のリソース及び第２のリソースが重複し、かつ、第２の端末デバイスの伝送データが初期伝送データである場合に、第１の端末デバイスによって第２のリソースを利用することをスキップする段階、又は、
第１のリソース及び第２のリソースが重複し、第１の端末デバイスの伝送データが再伝送データであり、かつ、第２の端末デバイスの伝送データが初期伝送データである場合に、第１の端末デバイスによって第２のリソースを利用することをスキップする段階、又は、
第１のリソース及び第２のリソースが重複し、かつ、第１の端末デバイスの伝送データが初期伝送データである場合に、第１の端末デバイスによってリソースを再選択する段階、又は、
第１のリソース及び第２のリソースが重複し、かつ、第２の端末デバイスの伝送データが初期伝送データである場合に、第１の端末デバイスによってリソースを再選択する段階、又は、
第１のリソース及び第２のリソースが重複し、第１の端末デバイスの伝送データが初期伝送データであり、かつ、第２の端末デバイスの伝送データが初期伝送データである場合に、第１の端末デバイスによってリソースを再選択する段階
を含んでよい。
【０１４２】
第５の可能な実装において、第１の端末デバイスの伝送データが再伝送データである場合、第１の端末デバイスは第２のリソースを利用しない、又は、第２の端末デバイスの伝送データが初期伝送データである場合も、第１の端末デバイスは第２のリソースを利用しない、又は、第１の端末デバイスの伝送データが再伝送データであり、かつ、第２の端末デバイスの伝送データが初期伝送データである場合も、第１の端末デバイスは第２のリソースを利用しない。
【０１４３】
第１の端末デバイスの伝送データが初期伝送データである場合、第１の端末デバイスはリソースを再選択する、又は、第２の端末デバイスの伝送データが初期伝送データである場合、第１の端末デバイスはリソースを再選択する、又は、第１の端末デバイスの伝送データが初期伝送データであり、かつ、第２の端末デバイスの伝送データが初期伝送データである場合、第１の端末デバイスはリソースを再選択する。
【０１４４】
第５の可能な実装において、予め設定された条件は第２のリソースの数であり、第１の端末デバイスによって第２のリソースを利用することをスキップする、又は第１の端末デバイスによってリソースを再選択する段階は、
第１のリソース及び第２のリソースが重複し、かつ、第２のリソースの数が第７の閾値より小さい又はこれと等しい場合に、第１の端末デバイスによって第２のリソースを利用することをスキップする段階、又は、
第１のリソース及び第２のリソースが重複し、かつ、第２のリソースが位置するサブフレームの数が第８の閾値より小さい又はこれと等しい場合に、第１の端末デバイスによって第２のリソースを利用することをスキップする段階、又は、
第１のリソース及び第２のリソースが重複し、かつ、第２のリソースの数が第９の閾値より大きい場合に、第１の端末デバイスによってリソースを再選択する段階、又は、第１のリソース及び第２のリソースが重複し、かつ、第２のリソースが位置するサブフレームの数が第１０の閾値より大きい場合に、第１の端末デバイスによってリソースを再選択する段階
を含んでよい。
【０１４５】
第７の閾値、第８の閾値、及び第９の閾値は、実際の要件に基づいて設定されてよい。ここで、第７の閾値、第８の閾値、及び第９の閾値の設定は、本願の本実施形態において、さらに限定されない。本願の本実施形態において、第７の閾値は第９の閾値に等しくてよく、第８の閾値は第１０の閾値に等しくてよいことに留意されたい。
【０１４６】
図８は、本願の実施形態に係る第１の端末デバイスによってリソースを再選択する他の概略図である。リソース１及びリソース２は、第１の端末デバイスによってデータを伝送するために選択されるリソースであり、リソース３、リソース４、リソース５、リソース６、及びリソース７は、第１の端末デバイスによってデータを伝送するために選択されるリソースに基づいて決定されるリソースである。第１の端末デバイスによってリソース１、リソース３、リソース５、及びリソース７上で実行される伝送は、初期伝送である。第１の端末デバイスによってリソース２、リソース４、及びリソース６上で実行される伝送は、初期伝送である。リソース８は、第２の端末デバイスによってデータを伝送するために利用されるリソースであり、リソース７は、第２の端末デバイスによってデータを伝送するために予約されるリソースである。リソース９は、第２の端末デバイスによってデータを伝送するために利用されるリソースであり、リソース４は、第２の端末デバイスによってデータを伝送するために予約されるリソースである。言い換えれば、第１のリソースは、リソース８、リソース７、リソース９、及びリソース４を含む。第２のリソースは、リソース４及びリソース７であり、第１のリソースと重複する。第１の端末デバイスによってリソース４上で実行される伝送は再伝送であるので、第１の端末デバイスはリソース４を利用しない。第１の端末デバイスによってリソース７上で実行される伝送は初期伝送であるので、第１の端末デバイスはリソースを再選択する。
【０１４７】
例えば、図９は、本願の実施形態に係る第１の端末デバイスによってリソースを再選択するさらに他の概略図である。リソース１は、第１の端末デバイスによってデータを伝送するために選択されるリソースである。リソース２、リソース３、リソース４、リソース５、リソース６、及びリソース７は、第１の端末デバイスによってデータを伝送するために選択されるリソースに基づいて決定されるリソースである。リソース２、リソース４、及びリソース６は、第１のリソースである。第２のリソースは、リソース２、リソース４、及びリソース６を含み、第１のリソースと重複する。第７の閾値は４であると仮定する。第２のリソースの数は３であり、第７の閾値より小さいので、第１の端末デバイスは、リソース２、リソース４、又はリソース６を利用しない。
【０１４８】
前述した複数の可能な実装において、第１の端末デバイスがリソースを再選択する必要がある場合、第１の端末デバイスがリソースを再選択する時点は、第３のリソースが位置するサブフレームより前であってよく、第３のリソースは、リソースを再選択するように第１の端末デバイスをトリガする第２のリソースにおける１つ目のリソースであり、及び／又は、第１の端末デバイスがリソースを選択する時点は、第４のリソースが位置するサブフレームより後であり、第４のリソースは、第５のリソースにおける第３のリソースより前の最後のリソースであり、第５のリソースは、第１の端末デバイスによってデータを伝送するために選択されるリソース、第１の端末デバイスによってデータを伝送するために利用されるべき候補リソース、第１の端末デバイスによってデータを伝送するために選択されるリソースに基づいて決定されるリソース、及び第１の端末デバイスによってデータを伝送するために利用されるべき候補リソースに基づいて決定されるリソースの１つ又は複数を含む。図１０は、本願の実施形態に係る第１の端末デバイスによってリソースを再選択する概略図である。リソース１、リソース３、リソース４、及びリソース５は、第１の端末デバイスによってデータを伝送するために選択されるリソースに基づいて決定されるリソースであり、リソース２及びリソース５は、第１のリソースである。従って、リソース５は、第２のリソースである。第１の端末デバイスが、第１のリソース及び第２のリソースが重複すると決定したと仮定し、第１の端末デバイスは、リソースを再選択する。この場合、第１の端末デバイスがリソースを再選択する時点は、リソース５より前であり、及び／又は、第１の端末デバイスがリソースを再選択する時点は、リソース４より後である。
【０１４９】
任意選択的に、前述した複数の可能な実装において、第１の端末デバイスがリソースを再選択する時点は限定されない。例えば、第１の端末デバイスは、第４のリソースより前にリソースを再選択してよい。第１の端末デバイスは、第４のリソースより後で、再選択されたリソースを利用する。
【０１５０】
任意選択的に、第１の端末デバイスがリソースを再選択する時点は、第１の端末デバイスによって第３のリソース上で伝送されるべきであったデータパケットが論理チャネルに到着する時点より後である。
【０１５１】
前述した第６の可能な実装において、２つの可能な実装の組み合わせは、第１の端末デバイスが第２のリソースを利用しない、又は第１の端末デバイスがリソースを再選択すると決定するために利用されてもよいことに留意されたい。詳細は、以下のとおりである。
【０１５２】
第１の可能な実装が第２の可能な実装との組み合わせられる場合、第１のリソース及び第２のリソースが重複し、かつ、第１の端末デバイスが第２の端末デバイスによって送信された信号を受信するときの受信電力が第１の閾値より大きい場合に、及び、第１のリソース及び第２のリソースが重複し、かつ、第１の端末デバイスの伝送データの優先度が第２の閾値より小さい又はこれと等しく、及び／又は第２の端末デバイスの伝送データの優先度が第３の閾値より大きい又はこれと等しい場合に、第１の端末デバイスは第２のリソースを利用しない。あるいは、第１のリソース及び第２のリソースが重複し、第１の端末デバイスが第２の端末デバイスによって送信された信号を受信するときの受信電力が第１の閾値より大きく、かつ、第１の端末デバイスの伝送データの優先度が第４の閾値より大きく、及び／又は第２の端末デバイスの伝送データの優先度が第５の閾値より大きい又はこれと等しい場合に、第１の端末デバイスはリソースを再選択する。
【０１５３】
第１の可能な実装が第３の可能な実装と組み合わせられる場合、第１のリソース及び第２のリソースが重複し、第１の端末デバイスが第２の端末デバイスによって送信された信号を受信するときの受信電力が第１の閾値より大きく、かつ、第１の端末デバイスの伝送データの優先度と第２の端末デバイスの伝送データの優先度との間の差が第６の閾値より小さい又はこれと等しい場合に、第１の端末デバイスは第２のリソースを利用しない、又は第１の端末デバイスはリソースを再選択する。
【０１５４】
第１の可能な実装が第４の可能な実装と組み合わせられる場合、第１のリソース及び第２のリソースが重複し、第１の端末デバイスが第２の端末デバイスによって送信された信号を受信するときの受信電力が第１の閾値より大きく、かつ、第１の端末デバイスの伝送データが非セキュリティ関連データであり、及び／又は第２の端末デバイスの伝送データがセキュリティ関連データである場合に、第１の端末デバイスは第２のリソースを利用しない。あるいは、第１のリソース及び第２のリソースが重複し、第１の端末デバイスが第２の端末デバイスによって送信された信号を受信するときの受信電力が第１の閾値より大きく、第１の端末デバイスの伝送データがセキュリティ関連データであり、及び／又は第２の端末デバイスの伝送データがセキュリティ関連データである場合に、第１の端末デバイスはリソースを再選択する。
【０１５５】
第１の可能な実装が第５の可能な実装と組み合わせられる場合、第１のリソース及び第２のリソースが重複し、第１の端末デバイスが第２の端末デバイスによって送信された信号を受信するときの受信電力が第１の閾値より大きく、かつ、第１の端末デバイスの伝送データが再伝送データであり、及び／又は第２の端末デバイスの伝送データが初期伝送データである場合に、第１の端末デバイスは第２のリソースを利用しない。あるいは、第１のリソース及び第２のリソースが重複し、第１の端末デバイスが第２の端末デバイスによって送信された信号を受信するときの受信電力が第１の閾値より大きく、かつ、第１の端末デバイスの伝送データが初期伝送データであり、及び／又は第２の端末デバイスの伝送データが初期伝送データである場合に、第１の端末デバイスはリソースを再選択する。
【０１５６】
第１の可能な実装が第６の可能な実装と組み合わせられる場合、第１のリソース及び第２のリソースが重複し、第１の端末デバイスが第２の端末デバイスによって送信された信号を受信するときの受信電力が第１の閾値より大きく、かつ、第２のリソースの数が第７の閾値より小さい又はこれと等しい場合に、第１の端末デバイスは第２のリソースを利用しない。あるいは、第１のリソース及び第２のリソースが重複し、第１の端末デバイスが第２の端末デバイスによって送信された信号を受信するときの受信電力が第１の閾値より大きく、かつ、第２のリソースが位置するサブフレームの数が第８の閾値より小さい又はこれと等しい場合に、第１の端末デバイスは第２のリソースを利用しない。あるいは、第１のリソース及び第２のリソースが重複し、第１の端末デバイスが第２の端末デバイスによって送信された信号を受信するときの受信電力が第１の閾値より大きく、かつ、第２のリソースの数が第９の閾値より大きい場合に、第１の端末デバイスはリソースを再選択する。あるいは、第１のリソース及び第２のリソースが重複し、第１の端末デバイスが第２の端末デバイスによって送信された信号を受信するときの受信電力が第１の閾値より大きく、かつ、第２のリソースが位置するサブフレームの数が第１０の閾値より大きい場合に、第１の端末デバイスはリソースを再選択する。
【０１５７】
第２の可能な実装が第４の可能な実装と組み合わせられる場合、第１のリソース及び第２のリソースが重複し、かつ、第１の端末デバイスの伝送データの優先度が第２の閾値より小さい又はこれと等しく、及び／又は第２の端末デバイスの伝送データの優先度が第３の閾値より大きい又はこれと等しい場合に、第１の端末デバイスは第２のリソースを利用せず、第１の端末デバイスの伝送データが非セキュリティ関連データであり、及び／又は第２の端末デバイスの伝送データがセキュリティ関連データである場合に、第１の端末デバイスは第２のリソースを利用しない。あるいは、第１のリソース及び第２のリソースが重複し、第１の端末デバイスの伝送データの優先度が第４の閾値より大きく、及び／又は第２の端末デバイスの伝送データの優先度が第５の閾値より大きい又はこれと等しく、かつ、第１の端末デバイスの伝送データがセキュリティ関連データであり、及び／又は第２の端末デバイスの伝送データがセキュリティ関連データである場合に、第１の端末デバイスはリソースを再選択する。
【０１５８】
第２の可能な実装が第５の可能な実装と組み合わせられる場合、第１のリソース及び第２のリソースが重複し、第１の端末デバイスの伝送データの優先度が第２の閾値より小さい又はこれと等しく、及び／又は第２の端末デバイスの伝送データの優先度が第３の閾値より大きい又はこれと等しく、かつ、第１の端末デバイスの伝送データが再伝送データであり、及び／又は第２の端末デバイスの伝送データが初期伝送データである場合に、第１の端末デバイスは第２のリソースを利用しない。あるいは、第１のリソース及び第２のリソースが重複し、第１の端末デバイスの伝送データの優先度が第４の閾値より大きく、及び／又は第２の端末デバイスの伝送データの優先度が第５の閾値より大きい又はこれと等しく、かつ、第１の端末デバイスの伝送データが初期伝送データであり、及び／又は第２の端末デバイスの伝送データが初期伝送データである場合に、第１の端末デバイスはリソースを再選択する。
【０１５９】
第２の可能な実装が第６の可能な実装と組み合わせられる場合、第１のリソース及び第２のリソースが重複し、かつ、第１の端末デバイスの伝送データの優先度が第２の閾値より小さい又はこれと等しく、及び／又は第２の端末デバイスの伝送データの優先度が第３の閾値より大きい又はこれと等しい場合に、第１の端末デバイスは第２のリソースを利用せず、第２のリソースの数が第７の閾値より小さい又はこれと等しい場合に、第１の端末デバイスは第２のリソースを利用しない。あるいは、第１のリソース及び第２のリソースが重複し、第１の端末デバイスの伝送データの優先度が第２の閾値より小さい又はこれと等しく、及び／又は第２の端末デバイスの伝送データの優先度が第３の閾値より大きい又はこれと等しく、かつ、第２のリソースが位置するサブフレームの数が第８の閾値より小さい又はこれと等しい場合に、第１の端末デバイスは第２のリソースを利用しない。あるいは、第１のリソース及び第２のリソースが重複し、第１の端末デバイスの伝送データの優先度が第４の閾値より大きく、及び／又は第２の端末デバイスの伝送データの優先度が第５の閾値より大きい又はこれと等しく、かつ、第２のリソースの数が第９の閾値より大きい場合に、第１の端末デバイスはリソースを再選択する。あるいは、第１のリソース及び第２のリソースが重複し、第１の端末デバイスの伝送データの優先度が第４の閾値より大きく、及び／又は第２の端末デバイスの伝送データの優先度が第５の閾値より大きい又はこれと等しく、かつ、第２のリソースが位置するサブフレームの数が第１０の閾値より大きい場合に、第１の端末デバイスはリソースを再選択する。
【０１６０】
第３の可能な実装が第４の可能な実装と組み合わせられる場合、第１のリソース及び第２のリソースが重複し、第１の端末デバイスの伝送データの優先度と第２の端末デバイスの伝送データの優先度との間の差が第６の閾値より小さい又はこれと等しく、かつ、第１の端末デバイスの伝送データが非セキュリティ関連データであり、及び／又は第２の端末デバイスの伝送データがセキュリティ関連データである場合に、第１の端末デバイスは第２のリソースを利用しない。あるいは、第１のリソース及び第２のリソースが重複し、第１の端末デバイスの伝送データの優先度と第２の端末デバイスの伝送データの優先度との間の差が第６の閾値より小さい又はこれと等しく、かつ、第１の端末デバイスの伝送データがセキュリティ関連データであり、及び／又は第２の端末デバイスの伝送データがセキュリティ関連データである場合に、第１の端末デバイスはリソースを再選択する。
【０１６１】
第３の可能な実装が第５の可能な実装と組み合わせられる場合、第１のリソース及び第２のリソースが重複し、第１の端末デバイスの伝送データの優先度と第２の端末デバイスの伝送データの優先度との間の差が第６の閾値より小さい又はこれと等しく、かつ、第１の端末デバイスの伝送データが再伝送データであり、及び／又は第２の端末デバイスの伝送データが初期伝送データである場合に、第１の端末デバイスは第２のリソースを利用しない。あるいは、第１のリソース及び第２のリソースが重複し、第１の端末デバイスの伝送データの優先度と第２の端末デバイスの伝送データの優先度との間の差が第６の閾値より小さい又はこれと等しく、かつ、第１の端末デバイスの伝送データが初期伝送データであり、及び／又は第２の端末デバイスの伝送データが初期伝送データである場合に、第１の端末デバイスはリソースを再選択する。
【０１６２】
第３の可能な実装が第６の可能な実装と組み合わせられる場合、第１のリソース及び第２のリソースが重複し、第１の端末デバイスの伝送データの優先度と第２の端末デバイスの伝送データの優先度との間の差が第６の閾値より小さい又はこれと等しく、かつ、第２のリソースの数が第７の閾値より小さい又はこれと等しい場合に、第１の端末デバイスは第２のリソースを利用しない。あるいは、第１のリソース及び第２のリソースが重複し、第１の端末デバイスの伝送データの優先度と第２の端末デバイスの伝送データの優先度との間の差が第６の閾値より小さい又はこれと等しく、かつ、第２のリソースが位置するサブフレームの数が第８の閾値より小さい又はこれと等しい場合に、第１の端末デバイスは第２のリソースを利用しない。あるいは、第１のリソース及び第２のリソースが重複し、第１の端末デバイスの伝送データの優先度と第２の端末デバイスの伝送データの優先度との間の差が第６の閾値より小さい又はこれと等しく、かつ、第２のリソースの数が第９の閾値より大きい場合に、第１の端末デバイスはリソースを再選択する。あるいは、第１のリソース及び第２のリソースが重複し、第１の端末デバイスの伝送データの優先度と第２の端末デバイスの伝送データの優先度との間の差が第６の閾値より小さい又はこれと等しく、かつ、第２のリソースが位置するサブフレームの数が第１０の閾値より大きい場合に、第１の端末デバイスはリソースを再選択する。
【０１６３】
第４の可能な実装が第５の可能な実装と組み合わせられる場合、第１のリソース及び第２のリソースが重複し、第１の端末デバイスの伝送データが非セキュリティ関連データであり、及び／又は第２の端末デバイスの伝送データがセキュリティ関連データであり、かつ、第１の端末デバイスの伝送データが再伝送データであり、及び／又は第２の端末デバイスの伝送データが初期伝送データである場合に、第１の端末デバイスは第２のリソースを利用しない。あるいは、第１のリソース及び第２のリソースが重複し、第１の端末デバイスの伝送データがセキュリティ関連データであり、及び／又は第２の端末デバイスの伝送データがセキュリティ関連データであり、かつ、第１の端末デバイスの伝送データが初期伝送データであり、及び／又は第２の端末デバイスの伝送データが初期伝送データである場合に、第１の端末デバイスはリソースを再選択する。
【０１６４】
第４の可能な実装が第６の可能な実装と組み合わせられる場合、第１のリソース及び第２のリソースが重複し、第１の端末デバイスの伝送データが非セキュリティ関連データであり、及び／又は第２の端末デバイスの伝送データがセキュリティ関連データであり、かつ、第２のリソースの数が第７の閾値より小さい又はこれと等しい場合に、第１の端末デバイスは第２のリソースを利用しない。あるいは、第１のリソース及び第２のリソースが重複し、第１の端末デバイスの伝送データが非セキュリティ関連データであり、及び／又は第２の端末デバイスの伝送データがセキュリティ関連データであり、かつ、第２のリソースが位置するサブフレームの数が第８の閾値より小さい又はこれと等しい場合に、第１の端末デバイスは第２のリソースを利用しない。あるいは、第１のリソース及び第２のリソースが重複し、第１の端末デバイスの伝送データがセキュリティ関連データであり、及び／又は第２の端末デバイスの伝送データがセキュリティ関連データであり、かつ、第２のリソースの数が第９の閾値より大きい場合に、第１の端末デバイスはリソースを再選択する。あるいは、第１のリソース及び第２のリソースが重複し、第１の端末デバイスの伝送データがセキュリティ関連データであり、及び／又は第２の端末デバイスの伝送データがセキュリティ関連データであり、かつ、第２のリソースが位置するサブフレームの数が第１０の閾値より大きい場合に、第１の端末デバイスはリソースを再選択する。
【０１６５】
第５の可能な実装が第６の可能な実装と組み合わせられる場合、第１のリソース及び第２のリソースが重複し、第１の端末デバイスの伝送データが再伝送データであり、及び／又は第２の端末デバイスの伝送データが初期伝送データであり、かつ、第２のリソースの数が第７の閾値より小さい又はこれと等しい場合に、第１の端末デバイスは第２のリソースを利用しない。あるいは、第１のリソース及び第２のリソースが重複し、第１の端末デバイスの伝送データが再伝送データであり、及び／又は第２の端末デバイスの伝送データが初期伝送データであり、かつ、第２のリソースが位置するサブフレームの数が第８の閾値より小さい又はこれと等しい場合に、第１の端末デバイスは第２のリソースを利用しない。あるいは、第１のリソース及び第２のリソースが重複し、第１の端末デバイスの伝送データが初期伝送データであり、及び／又は第２の端末デバイスの伝送データが初期伝送データであり、かつ、第２のリソースの数が第９の閾値より大きい場合に、第１の端末デバイスはリソースを再選択する。あるいは、第１のリソース及び第２のリソースが重複し、第１の端末デバイスの伝送データが初期伝送データであり、及び／又は第２の端末デバイスの伝送データが初期伝送データであり、かつ、第２のリソースが位置するサブフレームの数が第１０の閾値より大きい場合に、第１の端末デバイスはリソースを再選択する。
【０１６６】
前述した第６の可能な実装において、複数の可能な実装の組み合わせは、第１の端末デバイスが第２のリソースを利用しない、又は第１の端末デバイスがリソースを再選択すると決定するために利用されてもよいことに留意されたい。複数の可能な方式の組み合わせ方式については、２つの可能な方式の組み合わせ方式を参照されたい。ここで、本願の本実施形態において、詳細は説明しない。
【０１６７】
図１１は、本願の実施形態に係る端末デバイス１１０の概略構造図である。図１１を参照すると、端末デバイス１１０は、
第１のリソースを決定するように構成される決定ユニットであって、第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む、決定ユニット１１０１と、
第１のリソース及び第２のリソースが重複する場合に、端末デバイス１１０によって、第２のリソースを利用することをスキップする、又はリソースを再選択するように構成される処理ユニットであって、第２のリソースは、端末デバイス１１０によってデータを伝送するために選択されるリソース、端末デバイス１１０によってデータを伝送するために利用されるべき候補リソース、端末デバイス１１０によってデータを伝送するために選択されるリソースに基づいて決定されるリソース、及び端末デバイス１１０によってデータを伝送するために利用されるべき候補リソースに基づいて決定されるリソースの１つ又は複数を含む、処理ユニット１１０２と
を含んでよい。
【０１６８】
任意選択的に、決定ユニット１１０１は、受信サブユニット１１０１１及び決定サブユニット１１０１２を含む。図１２は、本願の実施形態に係る他の端末デバイスの概略構造図である。
【０１６９】
受信サブユニット１１０１１は、第２の端末デバイスによって送信された第１の情報を受信するように構成される。第１の情報は、第２の端末デバイスによってデータを伝送するために利用されるリソースを示すために利用される。
【０１７０】
決定サブユニット１１０１２は、第２の端末デバイスによってデータを伝送するために利用されるリソースに基づいて、第１のリソースを決定するように構成される。
【０１７１】
任意選択的に、決定サブユニット１１０１２は、第２の情報及び第２の端末デバイスによってデータを伝送するために利用されるリソースに基づいて、第１のリソースを決定するように具体的に構成される。
【０１７２】
第２の情報は、予約間隔を示すために利用される、又は第２の情報は、端末デバイス１１０又は第２の端末デバイスが利用可能なリソース予約期間のセットを示すために利用される、又は第２の情報は、第１のパラメータの値範囲を示すために利用され、第１のパラメータは、端末デバイス１１０又は第２の端末デバイスが利用可能なリソース予約期間のセットを示すために利用される。
【０１７３】
任意選択的に、処理ユニット１１０２は、第１のリソース及び第２のリソースが重複し、かつ、予め設定された条件が満たされる場合に、第２のリソースを利用することをスキップする、又はリソースを再選択するように具体的に構成される。予め設定された条件は、
端末デバイス１１０が第２の端末デバイスによって送信された信号を受信するときの受信電力、端末デバイス１１０の伝送データの優先度及び／又は第２の端末デバイスの伝送データの優先度、端末デバイス１１０の伝送データのタイプ及び／又は第２の端末デバイスの伝送データのタイプ、端末デバイス１１０がデータを伝送する回数及び／又は第２の端末デバイスがデータを伝送する回数、及び第２のリソースの数
の１つ又は複数を含む。
【０１７４】
任意選択的に、予め設定された条件は、端末デバイス１１０が第２の端末デバイスによって送信された信号を受信するときの受信電力を含み、
処理ユニット１１０２は、第１のリソース及び第２のリソースが重複し、かつ、端末デバイス１１０が第２の端末デバイスによって送信された信号を受信するときの受信電力が第１の閾値より大きい場合に、第２のリソースを利用することをスキップする、又はリソースを再選択するように具体的に構成される。
【０１７５】
任意選択的に、予め設定された条件は、端末デバイス１１０の伝送データの優先度又は第２の端末デバイスの伝送データの優先度を含み、
処理ユニット１１０２は、
第１のリソース及び第２のリソースが重複し、かつ、端末デバイス１１０の伝送データの優先度が第２の閾値より小さい又はこれと等しい場合に、第２のリソースを利用することをスキップする、又は、
第１のリソース及び第２のリソースが重複し、かつ、第２の端末デバイスの伝送データの優先度が第３の閾値より大きい又はこれと等しい場合に、第２のリソースを利用することをスキップする、又は、
第１のリソース及び第２のリソースが重複し、端末デバイス１１０の伝送データの優先度が第２の閾値より小さい又はこれと等しく、かつ、第２の端末デバイスの伝送データの優先度が第３の閾値より大きい又はこれと等しい場合に、第２のリソースを利用することをスキップする、又は、
第１のリソース及び第２のリソースが重複し、かつ、端末デバイス１１０の伝送データの優先度が第４の閾値より大きい場合に、リソースを再選択する、又は、
第１のリソース及び第２のリソースが重複し、かつ、第２の端末デバイスの伝送データの優先度が第５の閾値より大きい又はこれと等しい場合に、リソースを再選択する、又は、
第１のリソース及び第２のリソースが重複し、端末デバイス１１０の伝送データの優先度が第４の閾値より大きく、かつ、第２の端末デバイスの伝送データの優先度が第５の閾値より大きい又はこれと等しい場合に、リソースを再選択する
ように具体的に構成される。
【０１７６】
任意選択的に、予め設定された条件は、端末デバイス１１０の伝送データの優先度及び第２の端末デバイスの伝送データの優先度を含み、
処理ユニット１１０２は、第１のリソース及び第２のリソースが重複し、かつ、端末デバイス１１０の伝送データの優先度と第２の端末デバイスの伝送データの優先度との間の差が第６の閾値より小さい又はこれと等しい場合に、第２のリソースを利用することをスキップする、又はリソースを再選択するように具体的に構成される。
【０１７７】
任意選択的に、予め設定された条件は、端末デバイス１１０の伝送データのタイプ及び／又は第２の端末デバイスの伝送データのタイプを含み、
処理ユニット１１０２は、
第１のリソース及び第２のリソースが重複し、かつ、端末デバイス１１０の伝送データが非セキュリティ関連データである場合に、第２のリソースを利用することをスキップする、又は、
第１のリソース及び第２のリソースが重複し、かつ、第２の端末デバイスの伝送データがセキュリティ関連データである場合に、第２のリソースを利用することをスキップする、又は、
第１のリソース及び第２のリソースが重複し、端末デバイス１１０の伝送データが非セキュリティ関連データであり、かつ、第２の端末デバイスの伝送データがセキュリティ関連データである場合に、第２のリソースを利用することをスキップする、又は、
第１のリソース及び第２のリソースが重複し、かつ、端末デバイス１１０の伝送データがセキュリティ関連データである場合に、リソースを再選択する、又は、
第１のリソース及び第２のリソースが重複し、かつ、第２の端末デバイスの伝送データがセキュリティ関連データである場合に、リソースを再選択する、又は、
第１のリソース及び第２のリソースが重複し、端末デバイス１１０の伝送データがセキュリティ関連データであり、かつ、第２の端末デバイスの伝送データがセキュリティ関連データである場合に、リソースを再選択する
ように具体的に構成される。
【０１７８】
任意選択的に、予め設定された条件は、端末デバイス１１０がデータを伝送する回数及び／又は第２の端末デバイスがデータを伝送する回数を含み、
処理ユニット１１０２は、
第１のリソース及び第２のリソースが重複し、かつ、端末デバイス１１０の伝送データが再伝送データである場合に、第２のリソースを利用することをスキップする、又は、
第１のリソース及び第２のリソースが重複し、かつ、第２の端末デバイスの伝送データが初期伝送データである場合に、第２のリソースを利用することをスキップする、又は、
第１のリソース及び第２のリソースが重複し、端末デバイス１１０の伝送データが再伝送データであり、かつ、第２の端末デバイスの伝送データが初期伝送データである場合に、第２のリソースを利用することをスキップする、又は、
第１のリソース及び第２のリソースが重複し、かつ、端末デバイス１１０の伝送データが初期伝送データである場合に、リソースを再選択する、又は、
第１のリソース及び第２のリソースが重複し、かつ、第２の端末デバイスの伝送データが初期伝送データである場合に、リソースを再選択する、又は、
第１のリソース及び第２のリソースが重複し、端末デバイス１１０の伝送データが初期伝送データであり、かつ、第２の端末デバイスの伝送データが初期伝送データである場合に、リソースを再選択する
ように具体的に構成される。
【０１７９】
任意選択的に、予め設定された条件は、第２のリソースの数を含み、
処理ユニット１１０２は、
第１のリソース及び第２のリソースが重複し、かつ、第２のリソースの数が第７の閾値より小さい又はこれと等しい場合に、第２のリソースを利用することをスキップする、又は、
第１のリソース及び第２のリソースが重複し、かつ、第２のリソースが位置するサブフレームの数が第８の閾値より小さい又はこれと等しい場合に、第２のリソースを利用することをスキップする、又は、
第１のリソース及び第２のリソースが重複し、かつ、第２のリソースの数が第９の閾値より大きい場合に、リソースを再選択する、又は、
第１のリソース及び第２のリソースが重複し、かつ、第２のリソースが位置するサブフレームの数が第１０の閾値より大きい場合に、リソースを再選択する
ように具体的に構成される。
【０１８０】
任意選択的に、決定ユニット１１０１は、第２の端末デバイスのリソース割り当てモードが、基地局がリソースをスケジューリングするモード、部分的センシングに基づいてリソースを選択するモード、センシングに基づいてリソースを選択するモード、及びランダム選択に基づいてリソースを選択するモードのいずれか１つであると決定するようにさらに構成される。
【０１８１】
任意選択的に、端末デバイス１１０のリソース割り当てモードは、リソースを自律的に選択するモード、非部分的センシングに基づいてリソースを選択するモード、及びセンシングに基づいてリソースを選択又は再選択するモードのいずれか１つである。
【０１８２】
本願の本実施形態において示される端末デバイスは、前述の実施形態におけるリソース選択方法の技術的解決手段を実行してよい。端末デバイスの実装原理及び有益な効果は、リソース選択方法のものと同様である。ここで、詳細は再度説明しない。
【０１８３】
図１３は、本願の実施形態に係る端末デバイス１３０の概略構造図である。図１３を参照すると、端末デバイス１３０は、プロセッサ１３０１及びメモリ１３０２を含んでよい。プロセッサ１３０１及びメモリ１３０２は、通信バスを介して接続される。
【０１８４】
メモリ１３０２は、プログラム命令を格納するように構成される。
【０１８５】
プロセッサ１３０１は、メモリ１３０２に格納されたプログラム命令を呼び出して実行し、
第１のリソースを決定する段階であって、第１のリソースは、第２の端末デバイスによってデータを伝送するために利用されるリソース、第２の端末デバイスによってデータを伝送するために予約されるリソース、第２の端末デバイスによってデータを伝送するために利用されるリソースに基づいて決定されるリソース、及び第２の端末デバイスによってデータを伝送するために予約されるリソースに基づいて決定されるリソースの１つ又は複数を含む、段階と、
第１のリソース及び第２のリソースが重複する場合に、第２のリソースを利用することをスキップする、又はリソースを再選択する段階であって、第２のリソースは、端末デバイス１３０によってデータを伝送するために選択されるリソース、端末デバイス１３０によってデータを伝送するために利用されるべき候補リソース、端末デバイス１３０によってデータを伝送するために選択されるリソースに基づいて決定されるリソース、及び端末デバイス１３０によってデータを伝送するために利用されるべき候補リソースに基づいて決定されるリソースの１つ又は複数を含む、段階と
を実行するように構成される。
【０１８６】
任意選択的に、端末デバイス１３０は、送受信機１３０３をさらに含んでよい。
【０１８７】
送受信機１３０３は、第２の端末デバイスによって送信された第１の情報を受信するように構成される。第１の情報は、第２の端末デバイスによってデータを伝送するために利用されるリソースを示すために利用される。
【０１８８】
第１のリソースを決定する段階において、プロセッサ１３０１は、メモリ１３０２に格納されたプログラム命令を呼び出して実行し、第２の端末デバイスによってデータを伝送するために利用されるリソースに基づいて、第１のリソースを決定するように具体的に構成される。
【０１８９】
任意選択的に、第１のリソースを決定する段階において、プロセッサ１３０１は、メモリ１３０２に格納されたプログラム命令を呼び出して実行し、第２の情報及び第２の端末デバイスによってデータを伝送するために利用されるリソースに基づいて、第１のリソースを決定するように具体的に構成され、
第２の情報は、予約間隔を示すために利用される、又は第２の情報は、端末デバイス１３０又は第２の端末デバイスが利用可能なリソース予約期間のセットを示すために利用される、又は第２の情報は、第１のパラメータの値範囲を示すために利用され、第１のパラメータは、端末デバイス１３０又は第２の端末デバイスが利用可能なリソース予約期間のセットを示すために利用される。
【０１９０】
任意選択的に、第１のリソース及び第２のリソースが重複する場合に、第２のリソースを利用することをスキップする、又はリソースを再選択する段階において、プロセッサ１３０１は、メモリ１３０２に格納されたプログラム命令を呼び出して実行し、第１のリソース及び第２のリソースが重複し、かつ、予め設定された条件が満たされる場合に、第２のリソースを利用することをスキップする、又はリソースを再選択するように具体的に構成され、
予め設定された条件は、
端末デバイス１３０が第２の端末デバイスによって送信された信号を受信するときの受信電力、端末デバイス１３０の伝送データの優先度及び／又は第２の端末デバイスの伝送データの優先度、端末デバイス１３０の伝送データのタイプ及び／又は第２の端末デバイスの伝送データのタイプ、端末デバイス１３０がデータを伝送する回数及び／又は第２の端末デバイスがデータを伝送する回数、及び第２のリソースの数
の１つ又は複数を含む。
【０１９１】
任意選択的に、予め設定された条件は、端末デバイス１３０が第２の端末デバイスによって送信された信号を受信するときの受信電力を含んでよく、
第１のリソース及び第２のリソースが重複する場合に、第２のリソースを利用することをスキップする、又はリソースを再選択する段階において、プロセッサ１３０１は、第１のリソース及び第２のリソースが重複し、かつ、端末デバイス１３０が第２の端末デバイスによって送信された信号を受信するときの受信電力が第１の閾値より大きい場合に、メモリ１３０２に格納されたプログラム命令を呼び出して実行し、第２のリソースを利用することをスキップする、又はリソースを再選択するように具体的に構成される。
【０１９２】
任意選択的に、予め設定された条件は、端末デバイス１３０の伝送データの優先度及び／又は第２の端末デバイスの伝送データの優先度を含み、
第１のリソース及び第２のリソースが重複する場合に、第２のリソースを利用することをスキップする、又はリソースを再選択する段階において、プロセッサ１３０１は、メモリ１３０２に格納されたプログラム命令を呼び出して実行し、
第１のリソース及び第２のリソースが重複し、かつ、端末デバイス１３０の伝送データの優先度が第２の閾値より小さい又はこれと等しい場合に、第２のリソースを利用することをスキップする段階、又は、
第１のリソース及び第２のリソースが重複し、かつ、第２の端末デバイスの伝送データの優先度が第３の閾値より大きい又はこれと等しい場合に、第２のリソースを利用することをスキップする段階、又は、
第１のリソース及び第２のリソースが重複し、端末デバイス１３０の伝送データの優先度が第２の閾値より小さい又はこれと等しく、かつ、第２の端末デバイスの伝送データの優先度が第３の閾値より大きい又はこれと等しい場合に、第２のリソースを利用することをスキップする段階、又は、
第１のリソース及び第２のリソースが重複し、かつ、端末デバイス１３０の伝送データの優先度が第４の閾値より大きい場合に、リソースを再選択する段階、又は、
第１のリソース及び第２のリソースが重複し、かつ、第２の端末デバイスの伝送データの優先度が第５の閾値より大きい又はこれと等しい場合に、リソースを再選択する段階、又は、
第１のリソース及び第２のリソースが重複し、端末デバイス１３０の伝送データの優先度が第４の閾値より大きく、かつ、第２の端末デバイスの伝送データの優先度が第５の閾値より大きい又はこれと等しい場合に、リソースを再選択する段階
を実行するように具体的に構成される。
【０１９３】
任意選択的に、予め設定された条件は、端末デバイス１３０の伝送データの優先度及び第２の端末デバイスの伝送データの優先度を含んでよく、
第１のリソース及び第２のリソースが重複する場合に、第２のリソースを利用することをスキップする、又はリソースを再選択する段階において、プロセッサ１３０１は、メモリ１３０２に格納されたプログラム命令を呼び出して実行し、第１のリソース及び第２のリソースが重複し、かつ、端末デバイス１３０の伝送データの優先度と第２の端末デバイスの伝送データの優先度との間の差が第６の閾値より小さい又はこれと等しい場合に、第２のリソースを利用することをスキップする、又はリソースを再選択するように具体的に構成される。
【０１９４】
任意選択的に、予め設定された条件は、端末デバイス１３０の伝送データのタイプ及び／又は第２の端末デバイスの伝送データのタイプを含み、
第１のリソース及び第２のリソースが重複する場合に、第２のリソースを利用することをスキップする、又はリソースを再選択する段階において、プロセッサ１３０１は、メモリ１３０２に格納されたプログラム命令を呼び出して実行し、
第１のリソース及び第２のリソースが重複し、かつ、端末デバイス１３０の伝送データが非セキュリティ関連データである場合に、第２のリソースを利用することをスキップする段階、又は、
第１のリソース及び第２のリソースが重複し、かつ、第２の端末デバイスの伝送データがセキュリティ関連データである場合に、第２のリソースを利用することをスキップする段階、又は、
第１のリソース及び第２のリソースが重複し、端末デバイス１３０の伝送データが非セキュリティ関連データであり、かつ、第２の端末デバイスの伝送データがセキュリティ関連データである場合に、第２のリソースを利用することをスキップする段階、又は、
第１のリソース及び第２のリソースが重複し、かつ、端末デバイス１３０の伝送データがセキュリティ関連データである場合に、リソースを再選択する段階、又は、
第１のリソース及び第２のリソースが重複し、かつ、第２の端末デバイスの伝送データがセキュリティ関連データである場合に、リソースを再選択する段階、又は、
第１のリソース及び第２のリソースが重複し、端末デバイス１３０の伝送データがセキュリティ関連データであり、かつ、第２の端末デバイスの伝送データがセキュリティ関連データである場合に、リソースを再選択する段階
を実行するように具体的に構成される。
【０１９５】
任意選択的に、予め設定された条件は、端末デバイス１３０がデータを伝送する回数及び／又は第２の端末デバイスがデータを伝送する回数を含み、
第１のリソース及び第２のリソースが重複する場合に、第２のリソースを利用することをスキップする、又はリソースを再選択する段階において、プロセッサ１３０１は、メモリ１３０２に格納されたプログラム命令を呼び出して実行し、
第１のリソース及び第２のリソースが重複し、かつ、端末デバイス１３０の伝送データが再伝送データである場合に、第２のリソースを利用することをスキップする段階、又は、
第１のリソース及び第２のリソースが重複し、かつ、第２の端末デバイスの伝送データが初期伝送データである場合に、第２のリソースを利用することをスキップする段階、又は、
第１のリソース及び第２のリソースが重複し、端末デバイス１３０の伝送データが再伝送データであり、かつ、第２の端末デバイスの伝送データが初期伝送データである場合に、第２のリソースを利用することをスキップする段階、又は、
第１のリソース及び第２のリソースが重複し、かつ、端末デバイス１３０の伝送データが初期伝送データである場合に、リソースを再選択する段階、又は、
第１のリソース及び第２のリソースが重複し、かつ、第２の端末デバイスの伝送データが初期伝送データである場合に、リソースを再選択する段階、又は、
第１のリソース及び第２のリソースが重複し、端末デバイス１３０の伝送データが初期伝送データであり、かつ、第２の端末デバイスの伝送データが初期伝送データである場合に、リソースを再選択する段階
を実行するように具体的に構成される。
【０１９６】
任意選択的に、予め設定された条件は、第２のリソースの数を含み、
第１のリソース及び第２のリソースが重複する場合に、第２のリソースを利用することをスキップする、又はリソースを再選択する段階において、プロセッサ１３０１は、メモリ１３０２に格納されたプログラム命令を呼び出して実行し、
第１のリソース及び第２のリソースが重複し、かつ、第２のリソースの数が第７の閾値より小さい又はこれと等しい場合に、第２のリソースを利用することをスキップする段階、又は、
第１のリソース及び第２のリソースが重複し、かつ、第２のリソースが位置するサブフレームの数が第８の閾値より小さい又はこれと等しい場合に、第２のリソースを利用することをスキップする段階、又は、
第１のリソース及び第２のリソースが重複し、かつ、第２のリソースの数が第９の閾値より大きい場合に、リソースを再選択する段階、又は、
第１のリソース及び第２のリソースが重複し、かつ、第２のリソースが位置するサブフレームの数が第１０の閾値より大きい場合に、リソースを再選択する段階
を実行するように具体的に構成される。
【０１９７】
任意選択的に、プロセッサ１３０１は、メモリ１３０２に格納されたプログラム命令を呼び出して実行し、第２の端末デバイスのリソース割り当てモードが、
基地局がリソースをスケジューリングするモード、
部分的センシングに基づいてリソースを選択するモード、
センシングに基づいてリソースを選択するモード、及び
ランダム選択に基づいてリソースを選択するモード
のいずれか１つであると決定するように構成される。
【０１９８】
任意選択的に、端末デバイス１３０のリソース割り当てモードは、リソースを自律的に選択するモード、非部分的センシングに基づいてリソースを選択するモード、及びセンシングに基づいてリソースを選択又は再選択するモードのいずれか１つである。
【０１９９】
本願の本実施形態において示される端末デバイス１３０は、前述の実施形態におけるリソース選択方法の技術的解決手段を実行してよい。端末デバイス１３０の実装原理及び有益な効果は、リソース選択方法のものと同様である。ここで、詳細は再度説明しない。
【０２００】
図１４は、本願の実施形態に係る端末デバイス１４０の概略構造図である。図１４を参照すると、端末デバイス１４０は、プロセッサ１４０１及びメモリ１４０２を含んでよい。プロセッサ１４０１及びメモリ１４０２は、通信バスを介して接続される。
【０２０１】
メモリ１４０２は、プログラム命令を格納するように構成される。
【０２０２】
プロセッサ１４０１は、メモリに格納されたプログラム命令１４０２を呼び出して実行し、前述した実施形態のいずれか１つにおけるリソース選択方法を実行するように構成される。
【０２０３】
本願の本実施形態において示される端末デバイス１４０は、前述の実施形態におけるリソース選択方法の技術的解決手段を実行してよい。端末デバイス１４０の実装原理及び有益な効果は、リソース選択方法のものと同様である。ここで、詳細は再度説明しない。
【０２０４】
図１３及び図１４に示されるプロセッサは、中央処理装置（Ｃｅｎｔｒａｌ  Ｐｒｏｃｅｓｓｉｎｇ  Ｕｎｉｔ、ＣＰＵ）であってよい、又は他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）などであってよいことが理解されよう。汎用プロセッサは、マイクロプロセッサであってよい、又はプロセッサは、従来のプロセッサなどであってよい。本願に関して開示される方法の段階は、ハードウェアプロセッサを利用することによって直接実行及び実現されてよく、又は、プロセッサにおけるハードウェア及びソフトウェアモジュールの組み合わせを利用することによって実行及び実現されてよい。
【０２０５】
方法の実施形態の段階の全部又は一部は、プログラム命令関連のハードウェアによって実装されてよい。前述のプログラムは、可読メモリに格納されてよい。プログラムが実行される場合、前述した方法の実施形態の段階が実行される。前述のメモリ（記憶媒体）は、リードオンリメモリ（ｒｅａｄ−ｏｎｌｙ  ｍｅｍｏｒｙ、ＲＯＭ）、ＲＡＭ、フラッシュメモリ、ハードディスク、ソリッドステートディスク、磁気テープ（ｍａｇｎｅｔｉｃ  ｔａｐｅ）、フロッピーディスク（ｆｌｏｐｐｙ  ｄｉｓｋ）、コンパクトディスク（ｏｐｔｉｃａｌ  ｄｉｓｃ）、及びこれらの任意の組み合わせを含む。
【０２０６】
本願の実施形態は、コンピュータ可読記憶媒体をさらに提供する。コンピュータ可読記憶媒体はコンピュータプログラムを格納し、コンピュータプログラムがプロセッサによって実行される場合に、前述した実施形態のいずれか１つにおけるリソース選択方法が実行される。
【０２０７】
本願の本実施形態において示されるコンピュータ可読記憶媒体は、前述の実施形態におけるリソース選択方法の技術的解決手段を実行してよい。コンピュータ可読記憶媒体の実装原理及び有益な効果は、リソース選択方法のものと同様である。ここで、詳細は再度説明しない。
【０２０８】
本願の実施形態は、チップをさらに提供する。チップは、コンピュータプログラムを格納し、コンピュータプログラムがプロセッサによって実行される場合に、前述した実施形態のいずれか１つにおけるリソース選択方法が実行される。
【０２０９】
本願の本実施形態において示されるチップは、前述の実施形態におけるリソース選択方法の技術的解決手段を実行してよい。チップの実装原理及び有益な効果は、リソース選択方法のものと同様である。ここで、詳細は再度説明しない。
【０２１０】
本願の実施形態は、命令を含むコンピュータプログラム製品をさらに提供する。コンピュータプログラム製品が端末デバイス上で実行される場合、端末デバイスは、前述した実施形態のいずれか１つにおけるリソース選択方法を実行可能にされる。
【０２１１】
本願の本実施形態において示される命令を含むコンピュータプログラム製品は、前述の実施形態におけるリソース選択方法の技術的解決手段を実行してよい。コンピュータプログラム製品の実装原理及び有益な効果は、リソース選択方法のものと同様である。ここで、詳細は再度説明しない。
【０２１２】
前述の実施形態の全部又は一部は、ソフトウェア、ハードウェア、ファームウェア、又はこれらの任意の組み合わせによって実装されてよい。ソフトウェアが実施形態を実装するために利用される場合、実施形態は、コンピュータプログラム製品の形式で、全体的に又は部分的に実装されてよい。コンピュータプログラム製品は、１つ又は複数のコンピュータ命令を含む。コンピュータプログラム命令がコンピュータ上にロード及び実行される場合、本願の実施形態に係る手順又は機能が、全体的に又は部分的に生成される。コンピュータは、汎用コンピュータ、専用コンピュータ、コンピュータネットワーク、又は他のプログラム可能装置であってよい。コンピュータ命令は、コンピュータ可読記憶媒体に格納されてよい、又は１つのコンピュータ可読記憶媒体から他のコンピュータ可読記憶媒体に伝送されてよい。例えば、コンピュータ命令は、１つのウェブサイト、コンピュータ、サーバ、又はデータセンタから他のウェブサイト、コンピュータ、サーバ、又はデータセンタに有線（例えば、同軸ケーブル、光ファイバ、又はデジタル加入者線（ｄｉｇｉｔａｌ  ｓｕｂｓｃｒｉｂｅｒ  ｌｉｎｅ、ＤＳＬ））又は無線（例えば、赤外線、無線、及びマイクロ波）方式で伝送されてよい。コンピュータ可読記憶媒体は、コンピュータによってアクセス可能な任意の使用可能な媒体、又は１つ又は複数の使用可能な媒体を統合するサーバ又はデータセンタのようなデータストレージデバイスであってよい。使用可能な媒体は、磁気媒体（例えば、フロッピーディスク、ハードディスク、又は磁気テープ）、光媒体（例えば、ＤＶＤ）、半導体媒体（例えば、ソリッドステートディスク（ｓｏｌｉｄ  ｓｔａｔｅ  ｄｉｓｋ、ＳＳＤ））などであってよい。
【０２１３】
当業者であれば、前述した１つ又は複数の例において、本願の実施形態において説明された機能がハードウェア、ソフトウェア、ファームウェア、又はこれらの任意の組み合わせによって実装可能であることを認識しよう。本願がソフトウェアによって実装される場合、前述の機能は、コンピュータ可読媒体に格納されてよい、又はコンピュータ可読媒体における１つ又は複数の命令又はコードとして伝送されてよい。コンピュータ可読媒体は、コンピュータ記憶媒体及び通信媒体を含む。通信媒体は、コンピュータプログラムを１つの場所から他の場所へと伝送可能にする任意の媒体を含む。記憶媒体は、汎用又は専用コンピュータにアクセス可能な任意の利用可能な媒体であってよい。
【図１】
2021513290.tif 000003
【図２】
2021513290.tif 000004
【図３】
2021513290.tif 000005
【図４】
2021513290.tif 000006
【図５】
2021513290.tif 000007
【図６】
2021513290.tif 000008
【図７】
2021513290.tif 000009
【図８】
2021513290.tif 000010
【図９】
2021513290.tif 000011
【図１０】
2021513290.tif 000012
【図１１】
2021513290.tif 000013
【図１２】
2021513290.tif 000014
【図１３】
2021513290.tif 000015
【図１４】
2021513290.tif 000016
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
リソース選択方法であって、
第１の端末デバイスによって第１のリソースを決定する段階であって、前記第１のリソースは、第２の端末デバイスによってデータを伝送するために利用されるリソース、前記第２の端末デバイスによってデータを伝送するために予約されるリソース、前記第２の端末デバイスによってデータを伝送するために利用される前記リソースに基づいて決定されるリソース、及び前記第２の端末デバイスによってデータを伝送するために予約される前記リソースに基づいて決定されるリソースの１つ又は複数を含む、段階と、
前記第１のリソース及び第２のリソースが重複する場合に、前記第１の端末デバイスによって前記第２のリソースを利用することをスキップする、又は前記第１の端末デバイスによってリソースを再選択する段階であって、前記第２のリソースは、前記第１の端末デバイスによってデータを伝送するために選択されるリソース、前記第１の端末デバイスによってデータを伝送するために利用されるべき候補リソース、前記第１の端末デバイスによってデータを伝送するために選択される前記リソースに基づいて決定されるリソース、及び前記第１の端末デバイスによってデータを伝送するために利用されるべき前記候補リソースに基づいて決定されるリソースの１つ又は複数を含む、段階と
を備える方法。
【請求項２】
第１の端末デバイスによって第１のリソースを決定する前記段階は、
前記第１の端末デバイスによって、前記第２の端末デバイスによって送信された第１の情報を受信する段階であって、前記第１の情報は、前記第２の端末デバイスによってデータを伝送するために利用される前記リソースを示すために利用される、段階と、
前記第１の端末デバイスによって、前記第２の端末デバイスによってデータを伝送するために利用される前記リソースに基づいて、前記第１のリソースを決定する段階と
を含む、請求項１に記載の方法。
【請求項３】
第１の端末デバイスによって第１のリソースを決定する前記段階は、
前記第１の端末デバイスによって、第２の情報及び前記第２の端末デバイスによってデータを伝送するために利用される前記リソースに基づいて前記第１のリソースを決定する段階
を含み、
前記第２の情報は、予約間隔を示すために利用される、又は前記第２の情報は、前記第１の端末デバイス又は前記第２の端末デバイスが利用可能なリソース予約期間のセットを示すために利用される、又は前記第２の情報は、第１のパラメータの値範囲を示すために利用され、前記第１のパラメータは、前記第１の端末デバイス又は前記第２の端末デバイスが利用可能なリソース予約期間のセットを示すために利用される、
請求項１又は２に記載の方法。
【請求項４】
前記第１のリソース及び第２のリソースが重複する場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する段階であって、前記予め設定された条件は、前記第１の端末デバイスが前記第２の端末デバイスによって送信された信号を受信するときの受信電力、前記第１の端末デバイスの伝送データの優先度及び／又は前記第２の端末デバイスの伝送データの優先度、前記第１の端末デバイスの伝送データのタイプ及び／又は前記第２の端末デバイスの伝送データのタイプ、前記第１の端末デバイスがデータを伝送する回数及び／又は前記第２の端末デバイスがデータを伝送する回数、及び第２のリソースの数の１つ又は複数を含む、段階を含む、
請求項１から３のいずれか１項に記載の方法。
【請求項５】
前記予め設定された条件は、前記第１の端末デバイスが前記第２の端末デバイスによって送信された前記信号を受信するときの前記受信電力を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスが前記第２の端末デバイスによって送信された前記信号を受信するときの前記受信電力が第１の閾値より大きい場合に、前記第１の端末デバイスによって前記第２のリソースを利用することをスキップする、又は前記第１の端末デバイスによってリソースを再選択する段階
を含む
請求項４に記載の方法。
【請求項６】
前記予め設定された条件は、前記第１の端末デバイスの前記伝送データの前記優先度及び／又は前記第２の端末デバイスの前記伝送データの前記優先度を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスの前記伝送データの前記優先度が第２の閾値より小さい又はこれと等しい場合に、前記第１の端末デバイスによって前記第２のリソースを利用することをスキップする段階、又は、
前記第１のリソース及び前記第２のリソースが重複し、かつ、前記第２の端末デバイスの前記伝送データの前記優先度が第３の閾値より大きい又はこれと等しい場合に、前記第１の端末デバイスによって前記第２のリソースを利用することをスキップする段階、又は、
前記第１のリソース及び前記第２のリソースが重複し、前記第１の端末デバイスの前記伝送データの前記優先度が第２の閾値より小さい又はこれと等しく、かつ、前記第２の端末デバイスの前記伝送データの前記優先度が第３の閾値より大きい又はこれと等しい場合に、前記第１の端末デバイスによって前記第２のリソースを利用することをスキップする段階、又は、
前記第１のリソース及び前記第２のリソースが重複し、かつ、前記第１の端末デバイスの前記伝送データの前記優先度が第４の閾値より大きい場合に、前記第１の端末デバイスによってリソースを再選択する段階、又は、
前記第１のリソース及び前記第２のリソースが重複し、かつ、前記第２の端末デバイスの前記伝送データの前記優先度が第５の閾値より大きい又はこれと等しい場合に、前記第１の端末デバイスによってリソースを再選択する段階、又は、
前記第１のリソース及び前記第２のリソースが重複し、前記第１の端末デバイスの前記伝送データの前記優先度が第４の閾値より大きく、かつ、前記第２の端末デバイスの前記伝送データの前記優先度が第５の閾値より大きい又はこれと等しい場合に、前記第１の端末デバイスによってリソースを再選択する段階
を含む、請求項４に記載の方法。
【請求項７】
前記予め設定された条件は、前記第１の端末デバイスの前記伝送データの前記優先度及び前記第２の端末デバイスの前記伝送データの前記優先度を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスの前記伝送データの前記優先度と前記第２の端末デバイスの前記伝送データの前記優先度との間の差が第６の閾値より小さい又はこれと等しい場合に、前記第１の端末デバイスによって前記第２のリソースを利用することをスキップする、又は前記第１の端末デバイスによってリソースを再選択する段階
を含む、請求項４に記載の方法。
【請求項８】
前記予め設定された条件は、前記第１の端末デバイスが前記データを伝送する前記回数及び／又は前記第２の端末デバイスが前記データを伝送する前記回数を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、前記第１の端末デバイスの前記伝送データが再伝送データである場合に、前記第１の端末デバイスによって前記第２のリソースを利用することをスキップする段階、又は、
前記第１のリソース及び前記第２のリソースが重複し、かつ、前記第２の端末デバイスの前記伝送データが初期伝送データである場合に、前記第１の端末デバイスによって前記第２のリソースを利用することをスキップする段階、又は、
前記第１のリソース及び前記第２のリソースが重複し、前記第１の端末デバイスの前記伝送データが再伝送データであり、かつ、前記第２の端末デバイスの前記伝送データが初期伝送データである場合に、前記第１の端末デバイスによって前記第２のリソースを利用することをスキップする段階、又は、
前記第１のリソース及び前記第２のリソースが重複し、かつ、前記第１の端末デバイスの前記伝送データが初期伝送データである場合に、前記第１の端末デバイスによってリソースを再選択する段階、又は、
前記第１のリソース及び前記第２のリソースが重複し、かつ、前記第２の端末デバイスの前記伝送データが初期伝送データである場合に、前記第１の端末デバイスによってリソースを再選択する段階、又は、
前記第１のリソース及び前記第２のリソースが重複し、前記第１の端末デバイスの前記伝送データが初期伝送データであり、かつ、前記第２の端末デバイスの前記伝送データが初期伝送データである場合に、前記第１の端末デバイスによってリソースを再選択する段階
を含む、請求項４に記載の方法。
【請求項９】
前記予め設定された条件は、第２のリソースの前記数を含み、前記第１のリソース及び前記第２のリソースが重複し、かつ、予め設定された条件が満たされる場合に、前記第１の端末デバイスによって前記第２のリソースを利用することをスキップする、又は前記第１の端末デバイスによってリソースを再選択する前記段階は、
前記第１のリソース及び前記第２のリソースが重複し、かつ、第２のリソースの前記数が第７の閾値より小さい又はこれと等しい場合に、前記第１の端末デバイスによって前記第２のリソースを利用することをスキップする段階、又は、
前記第１のリソース及び前記第２のリソースが重複し、かつ、前記第２のリソースが位置するサブフレームの数が第８の閾値より小さい又はこれと等しい場合に、前記第１の端末デバイスによって前記第２のリソースを利用することをスキップする段階、又は、
前記第１のリソース及び前記第２のリソースが重複し、かつ、第２のリソースの前記数が第９の閾値より大きい場合に、前記第１の端末デバイスによってリソースを再選択する段階、又は、
前記第１のリソース及び前記第２のリソースが重複し、かつ、前記第２のリソースが位置するサブフレームの数が第１０の閾値より大きい場合に、前記第１の端末デバイスによってリソースを再選択する段階
を含む、請求項４に記載の方法。
【請求項１０】
前記第１のリソース及び第２のリソースが重複する場合に、前記第１の端末デバイスによって前記第２のリソースを利用することをスキップする、又は前記第１の端末デバイスによってリソースを再選択する段階の前に、
前記第１の端末デバイスによって、前記第２の端末デバイスのリソース割り当てモードが、
基地局がリソースをスケジューリングするモード、
部分的センシングに基づいてリソースを選択するモード、
センシングに基づいてリソースを選択するモード、及び
ランダム選択に基づいてリソースを選択するモード
のいずれか１つであると決定する段階をさらに備える、請求項１から９のいずれか１項に記載の方法。
【請求項１１】
前記第１の端末デバイスのリソース割り当てモードは、
リソースを自律的に選択するモード、
非部分的センシングに基づいてリソースを選択するモード、及び
センシングに基づいてリソースを選択又は再選択するモード
のいずれか１つである、請求項１から１０のいずれか１項に記載の方法。
【請求項１２】
前記第１の情報はＳＣＩである、請求項２に記載の方法。
【請求項１３】
前記第２の端末デバイスによって送信された前記信号は基準信号である、請求項４から９のいずれか１項に記載の方法。
【請求項１４】
前記第２の端末デバイスによって送信された前記基準信号は、データを伝送するためのチャネルにおける基準信号である、請求項１３に記載の方法。
【請求項１５】
より高い優先度を有するデータが優先的に伝送される、請求項１から１４のいずれか１項に記載の方法。
【請求項１６】
前記第１の端末デバイスによってデータを伝送するために選択される前記リソースに基づいて決定される前記リソースは、周期的サブフレームのグループにあり、かつ、周波数領域において同じであるリソースを含む、請求項１から１５のいずれか１項に記載の方法。
【請求項１７】
前記第１の端末デバイスによってデータを伝送するために選択される前記リソースに基づいて決定される前記リソースは、前記第１の端末デバイスによってデータを伝送するために選択される前記リソースと、前記第１の端末デバイスのリソース予約間隔とに基づいて決定される、請求項１から１６のいずれか１項に記載の方法。
【請求項１８】
前記第１の端末デバイスによってデータを伝送するために選択される前記リソースに基づいて決定される（リソース２によって表される）前記リソースと、前記第１の端末デバイスによってデータを伝送するために選択される（リソース１によって表される）前記リソースとの間の時間領域間隔は、Ｍ'×ｊであり、ｊ＝１，２，３，...，Ｃであり、Ｃは前記第１の端末デバイスによって予約されるリソースの数であり、Ｍ'は前記第１の端末デバイスの前記リソース予約間隔である、請求項１７に記載の方法。
【請求項１９】
プロセッサ及びメモリを備える端末デバイスであって、前記プロセッサ及び前記メモリは、通信バスを介して接続され、
前記メモリは、プログラム命令を格納するように構成され、
前記プロセッサは、前記メモリに格納された前記プログラム命令を呼び出して実行し、
第１のリソースを決定する段階であって、前記第１のリソースは、第２の端末デバイスによってデータを伝送するために利用されるリソース、前記第２の端末デバイスによってデータを伝送するために予約されるリソース、前記第２の端末デバイスによってデータを伝送するために利用される前記リソースに基づいて決定されるリソース、及び前記第２の端末デバイスによってデータを伝送するために予約される前記リソースに基づいて決定されるリソースの１つ又は複数を含む、段階と、
前記第１のリソース及び第２のリソースが重複する場合に、前記第２のリソースを利用することをスキップする、又はリソースを再選択する段階であって、前記第２のリソースは、前記端末デバイスによってデータを伝送するために選択されるリソース、前記端末デバイスによってデータを伝送するために利用されるべき候補リソース、前記端末デバイスによってデータを伝送するために選択される前記リソースに基づいて決定されるリソース、及び前記端末デバイスによってデータを伝送するために利用されるべき前記候補リソースに基づいて決定されるリソースの１つ又は複数を含む、段階と
を実行するように構成される、デバイス。
【請求項２０】
プロセッサによって実行される場合に、請求項１から１８のいずれか１項に記載のリソース選択方法が実行される、
コンピュータプログラム。
【請求項２１】
チップであって、
前記チップはコンピュータプログラムを格納し、前記コンピュータプログラムがプロセッサによって実行される場合に、請求項１から１８のいずれか１項に記載のリソース選択方法が実行される、
チップ。
【国際調査報告】
2021513290.tif 000017
2021513290.tif 000018
2021513290.tif 000019
2021513290.tif 000020